(57)【特許請求の範囲】
【請求項１】
身体接触表面および吸収性芯を含んでなる吸収性物品であって、
（１）少なくとも一部の身体接触表面が、４０℃で固体または半固体であり、かつ、着用者の皮膚へ皮膚効果をもたらすために有効なレベルで、接触、通常の着用者の動作および体熱により身体接触表面から着用者の皮膚に移動可能な、有効量のスキンケア組成物を含んでなり、および
（２）スキンケア組成物が、４０℃で、約３×１０４dyne/cm2以下の剪断応力で約１０５ポイズ以上の粘度、および約１０６dyne/cm2以上の剪断応力で約１０２ポイズ以下の粘度を有してなり、
スキンケア組成物が、皮膚軟化剤約４０〜約９０％、および皮膚軟化剤定着剤約１０〜約６０％を含んでなり、定着剤が、約１００ミクロン以下の平均直径を有し、かつ、シリカ、処理シリカ、ヒュームドシリカ、ポリメタクリレートポリマー、ポリメタクリレートおよびスチレンコポリマー、ケイ酸カルシウム、処理ケイ酸カルシウム、処理ベントナイト、処理ヘクトライト、およびそれらの混合物からなる群より選択される、粒状増粘剤である、吸収性物品。
【請求項２】
スキンケア組成物が、４０℃で、約３×１０４dyne/cm2以下の剪断応力で約１０６ポイズ以上の粘度を有してなる、請求項１に記載の吸収性物品。
【請求項３】
スキンケア組成物が、４０℃で、約１０６dyne/cm2以上の剪断応力で約１０１ポイズ以下の粘度を有してなる、請求項２に記載の吸収性物品。
【請求項４】
スキンケア組成物が４０℃で約３００以下の粘稠度を有している、請求項３に記載の吸収性物品。
【請求項５】
スキンケア組成物が４０℃で約１５０以下の粘稠度を有している、請求項４に記載の吸収性物品。
【請求項６】
スキンケア組成物が４０℃で約１００以下の粘稠度を有している、請求項５に記載の吸収性物品。
【請求項７】
皮膚軟化剤が、石油ベース、脂肪酸エステルタイプ、アルキルエトキシレートタイプ、脂肪酸エステルエトキシレート、脂肪アルコールタイプ、ポリシロキサンタイプ、およびそれらの混合物からなる群より選択される、請求項１に記載の吸収性物品。
【請求項８】
皮膚軟化剤ペトロラタムである、請求項７に記載の吸収性物品。
【請求項９】
ペトロラタムが重脂肪族炭化水素および軽脂肪族炭化水素を含んでなり、ペトロラタムが軽脂肪族炭化水素よりも多く重脂肪族炭化水素を含有している、請求項８に記載の吸収性物品。
【請求項１０】
重脂肪族炭化水素が３３〜３６のアルキル鎖長を有し、かつ、軽脂肪族炭化水素が２３〜２６のアルキル鎖長を有しており、重脂肪族炭化水素対軽脂肪族炭化水素の比率が２．０：１．０〜１．０：１．０である、請求項９に記載の吸収性物品。
【請求項１１】
重脂肪族炭化水素対軽脂肪族炭化水素の比率が１．５：１．０〜１．０：１．０である、請求項１０に記載の吸収性物品。
【請求項１２】
重脂肪族炭化水素が３０〜３６のアルキル鎖長を有し、かつ、軽脂肪族炭化水素が２０〜２６のアルキル鎖長を有しており、重脂肪族炭化水素対軽脂肪族炭化水素の比率が２．５：１．０〜１．０：１．０である、請求項９に記載の吸収性物品。
【請求項１３】
重脂肪族炭化水素対軽脂肪族炭化水素の比率が２．０：１．０〜１．０：１．０である、請求項１２に記載の吸収性物品。
【請求項１４】
重脂肪族炭化水素が２７〜３６のアルキル鎖長を有し、かつ、軽脂肪族炭化水素が１７〜２６のアルキル鎖長を有しており、重脂肪族炭化水素対軽脂肪族炭化水素の比率が３．５：１．０〜１．５：１．０である、請求項９に記載の吸収性物品。
【請求項１５】
重脂肪族炭化水素対軽脂肪族炭化水素の比率が３．０：１．０〜２．０：１．０である、請求項１４に記載の吸収性物品。
【請求項１６】
定着剤が、ヒュームドシリカ、処理ベントナイト、処理ヘクトライト、およびそれらの混合物から選択される、請求項１に記載の吸収性物品。
【請求項１７】
粒状増粘剤が約２０ミクロン以下の平均直径を有している、請求項１に記載の吸収性物品。
【請求項１８】
粒状増粘剤が約１０ミクロン以下の平均直径を有している、請求項１７に記載の吸収性物品。
【請求項１９】
スキンケア組成物がスキンケア活性成分を含んでなる、請求項１に記載の吸収性物品。
【請求項２０】
スキンケア活性成分が、スキンケア剤、プロトン供与剤、酵素インヒビターおよびそれらの混合物からなる群より選択される、請求項１９に記載の吸収性物品。
【請求項２１】
スキンケア組成物が約０．００１〜約５０％のスキンケア剤を含んでいる、請求項２０に記載の吸収性物品。
【請求項２２】
スキンケア剤が、アラントイン、水酸化アルミニウムゲル、カラミン、カカオ脂、ジメチコン、タラ肝油、グリセリン、カオリン、ペトロラタム、ラノリン、鉱油、サメ肝油、白色ペトロラタム、タルク、局所用デンプン、酢酸亜鉛、炭酸亜鉛、酸化亜鉛、生酵母細胞誘導体、アルジオキサ、酢酸アルミニウム、微孔質セルロース、コレカルシフェロール、コロイドオートミール、塩酸システイン、デクスパンテノール、ペルーバルサム油、タンパク質加水分解産物、ラセミメチオニン、重炭酸ナトリウム、ビタミンＡ、陽イオンおよび陰イオン交換樹脂の緩衝混合物、コーンスターチ、トロラミン、次硝酸ビスマス、ホウ酸、塩化第二鉄、ポリビニルピロリドン‐酢酸ビニルコポリマー、イオウ、タンニン酸、およびそれらの混合物からなる群より選択される、請求項２１に記載の吸収性物品。
【請求項２３】
スキンケア活性成分が不溶性であり、かつ、不溶性スキンケア活性成分がスキンケア組成物中に分散剤で分散されてなる、請求項１９に記載の吸収性物品。
【請求項２４】
分散剤が、ジエタノールアミノポリオキシエチレンオレイルエーテルホスフェート、ポリヒドロキシステアリン酸、ポリグリセリル‐６ポリリシノレエート、ネオペンチルグリコールジイソステアレート、プロピレングリコールジカプレート、イソエルコサンおよびポリイソブテンおよびクォータニウム‐１８、フェニルトリメチコンおよびクォータニウム‐１８ヘクトライトおよびトリエチルシトレート、イソヘキサデカンおよびクォータニウム‐１８ヘクトライトおよびプロピレンカーボネート、オクチルドデカノールおよびクォータニウム‐１８ヘクトライトおよびプロピレンカーボネート、鉱油およびクォータニウム‐１８ヘクトライトおよびプロピレンカーボネート、イソプロピルミリステートおよびステアラルコニウムヘクトライトおよびプロピレンカーボネート、シクロメチコンおよびクォータニウム‐１８およびＳＤＡ４０、ラノリン油およびイソプロピルパルミテートおよびステアラルコニウムヘクトライトおよびプロピレンカーボネートおよびプロピルパラベン、１‐エイコサノール、およびそれらの混合物からなる群より選択される、請求項２３に記載の吸収性物品。
【発明の詳細な説明】
【０００１】
【技術分野】
この出願は、生理用ナプキンおよびパンティライナーのような女性生理用品、おむつ、トレーニングパンツ、成人失禁用品、オムツホルダーなどを含めた吸収性物品に関するが、それらに限定されない。更に詳しくは、本発明は着用者の皮膚へ移行しうるスキンケア組成物コーティングを吸収性物品の身体接触表面上に有した吸収性物品に関する。
【０００２】
【発明の背景】
月経分泌液、尿および糞のような体液の吸収向けに形成された吸収性物品のすべての態様および種類がもちろんよく知られている。女性防護用品に関して、業界では２つの基本的タイプを供給している；生理用ナプキンは外陰部付近での外部使用向けに開発され、一方タンポンは膣腔内でそこから月経分泌液流出を遮断する内部使用向けに開発されてきた。このようなタンポン用品は、１９８３年１１月１日付でWeignerらに発行された“タンポンアプリケーター”と題するＵＳ特許４，４１２，８３３、および１９８３年１１月８日付でJacobsに発行された“無菌挿入用の手段を備えたタンポンアセンブリー”と題するＵＳ特許４，４１３，９８６で開示されている。
【０００３】
生理用ナプキンおよびタンポンの構造特徴を単一用品にまとめようとしたハイブリッド用品も提示された。このようなハイブリッド用品は、１９３７年９月７日付でAroneに発行された“月経パッド”と題するＵＳ特許２，０９２，３４６、および１９７５年９月１６日付でDenkingerに発行された“女性用衛生防護シールド”と題するＵＳ特許３，９０５，３７２で開示されている。他のさほど侵入させないハイブリッド用品は陰唇または陰唇間生理用ナプキンとして知られており、着用者の前庭内に少くとも一部存する部分および着用者の前庭外に少くとも一部存する部分を有することにより特徴づけられる。このような用品は、１９５３年１２月１５日付でJacksに発行された“生理用パッド”と題するＵＳ特許２，６６２，５２７、および１９８６年１２月２３日付でLassenらに発行された“陰唇生理用パッド”と題するＵＳ特許４，６３１，０６２で開示されている。陰唇間パッドは、小さなサイズおよび漏れリスクの減少のために、不便さからかなり大きく解放される可能性を有している。これら各タイプの用品に伴う欠点の少くとも一部を避けながら、タンポンおよび生理用ナプキンの最高特徴を組み合わせた陰唇間パッドを生産しようとする数多くの試みが過去に行われてきた。このような用品の例は、１９５９年１２月１５日付でDelaneyに発行されたＵＳ特許２，９１７，０４９、１９６９年１月７日付でHarmonに発行されたＵＳ特許３，４２０，２３５、１９８６年６月１７日付でJohnsonらに発行されたＵＳ特許４，５９５，３９２および１９９６年１月１６日付でVukosらに発行されたＵＳ特許５，４８４，４２９で記載されている。市販陰唇間用品はFRESH’N FITＲ PADETTE陰唇間製品であって、これはPortland,ＯＲのAthena Medical Corp.から販売されており、１９７６年１０月５日付および１９７９年１１月２７日付でHirschmanに各々発行されたＵＳ特許３，９８３，８７３および４，１７５，５６１で記載されている。
【０００４】
生理用ナプキン、タンポンおよび陰唇間パッドのようなこれらの製品は月経分泌液を吸収するために通常有効であるが、解決が必要な不快感がなお残されている。例えば、着用者は（１）製品を使用／適用する際に着用者の皮膚に対して製品のこすれに伴う摩擦不快感；（２）着用者の皮膚へのトップシート上に排出された月経分泌液の付着；および（３）着用者の皮膚へのトップシートのような製品の表面の付着、のために不快に感じる。製品を適用するときの摩擦は、製品が適正に挿入／適用されることを妨げて、不快感をもたらす。加えて、着用者の皮膚に対する製品のこすれはかゆみおよび／または皮膚刺激を起こす。月経分泌液の付着は着用者に汚い／不潔な感じをもたらす。加えて、付着した月経分泌液に含有される酵素および／または微生物は着用者の皮膚を攻撃して、かゆみおよび／または皮膚刺激を生じさせる。トップシートへの付着は着用者にべたつき感をもたらす。それは空気循環からも着用者の皮膚を妨げて、皮膚の水分過剰を生じさせる。
【０００５】
欧州特許出願ＥＰ０６９２２６３Ａ２“吸収性物品の摩擦係数を減少させる方法およびそれにより生産されるロウコーティング製品”は、体温以上の軟化点を有する少量の高分子量固形ロウ状物質のコーティングを有した減摩吸収性物品に関する。しかしながら、この目的での高分子量物質の使用に伴う欠点がある。高分子量物質は低分子量物質ほど着用者の皮膚に対して鎮静またはローション様でない。加えて、高分子量物質は着用者の皮膚へ移ってスキンケア効果を発揮することができない。高分子量ロウは脆くなることもあり、吸収性物品が曲がってたわむことを要するタイプであるならば、フレキシビリティーの欠如のために吸収性物品をはがしたりまたははぎとったりしがちである。更に、このような物質の軟化点が室温よりも高いならば、吸収性物品へのこのような物質の適用は難しくなり、吸収性物品をこのような物質でコートするにはその物質が加熱されることを要する。
【０００６】
女性着用者の陰唇前庭部分の乾燥問題が特許文献で記載されている。例えば、１９８９年７月１１日付でLassenらに発行されたＵＳ特許４，８４６，８２４は“生理的含水”カバー（即ち、“前庭の組織とパッドとの間に湿った界面を維持する”ようにおそらくデザインされたカバー物質）を有する陰唇生理用パッドに関する。Lassenらの特許で記載されたカバー物質のタイプには、スパンレースポリエステル繊維不織およびレーヨンカバーがある。Lassenらの特許では、そのカバーが生理的含水特徴を維持するように様々な“コーティング”で形成されうると述べているが、特定のコーティングは開示されていないようである。
【０００７】
他のタイプの吸収性物品は、例えば、体滲出液を吸収および含有する使い捨ておむつおよび失禁用ブリーフまたは下着である。このような用品は、着用者と接触する衣類または他の用品、例えば寝具を体滲出液で汚す、濡らすまたは不潔にすることを防ぐように考えられている。このような製品で最もありふれた失敗は、体滲出液がその用品と着用者の足または腰との隙間からその付近の衣類へ漏れたときに生じるが、その理由は、それらが用品内で直ちに吸収されず、吸収性物品が着用者とうまくフィットしつづけられずに、隙間が生じて、滲出液を用品から漏れ出させるからである。例えば、尿は噴出されるとトップシート上にたまりやすいため、尿が用品と着用者との隙間に移動して、そこでそれが衣類または他のものと接触して、これらのものにより吸収される。加えて、吸収性物品により容易に吸収されない遊離した糞物質は身体接触表面上に“浮遊”して、その用品と着用者の足または腰との隙間を通り過ぎていきやすい。
【０００８】
現代の使い捨ておむつは、トップシート、バックシート、吸収性芯、および着用者の足および／または腰と接触するように置かれる１以上のカフ、典型的には弾性カフを有している。弾性カフはおむつの端部と接触衣類とのバリヤをもたらし、通常それに加えて、着用者の足または腰付近でガスケット作用を生じ、足または腰付近でシールを維持して隙間を最少に抑えることから、これらの弾性カフは、液担持おむつからおむつの端部と接触する衣類へと逃げてあふれ出ないようにする上で通常有効とわかっている。しかしながら、弾性体により生じる力は狭いエリア沿いに集中して高い局部的圧力を生じることから、このような弾性カフは着用者の皮膚をくぼませて跡をつける傾向を増す。これらの皮膚影響は、皮膚への敏感さおよびわずかな圧力またはこすれ作用に対する感受性のために、幼児および失禁老人に着用される製品で特に激しい。これらの皮膚影響は、このような製品により生じる皮膚閉塞のために更に一層激しくなる。おむつによる皮膚の閉塞は可能性として皮膚の水分過剰をもたらすことがある。結果的に、水分過剰の皮膚は、通常の着用者の動きおよび弾性カフとの接触により生じるこすれのため、擦過からダメージをよりうけやすい。水分過剰の皮膚はおむつかぶれ、紅斑、あせも、擦過傷、加圧跡およびスキンバリヤ喪失を含めた皮膚障害をよりうけやすいことも、通常知られている。擦過した水分過剰皮膚のバリヤ効力低下は、おむつかぶれの増加を更に招くことがある（21 C.F.R.333.503は、“次のファクター：水分、閉塞、すりむき、尿、糞または双方との継続的接触、機械的または化学的刺激のうち１以上により生じるおむつエリア（会陰部、臀部、下腹部および内側大腿部）での炎症皮膚症状”としておむつかぶれを規定している）。おむつおよび他の吸収性物品の着用に伴う皮膚障害の心配に取り組むために、介護者または着用者はしばしば臀部、陰部、肛門および／または他の領域へ皮膚防護および／または治療製品を塗布してから、着用者へ吸収性物品を用いている。この操作では通常、介護者が手に皮膚防護製品をもってから、着用者の皮膚をそれでふきとる。この無駄で汚い時間のかかる、すぐに忘れられてしまう操作の必要性をなくすために、用品のトップシートにスキンケア物質を含有した吸収性物品を製造しようとする試みがあった。
【０００９】
例えば、鎮静化防護コーティングを付与するためにおむつ製品へ適用されてきた１つの物質は鉱油である。鉱油は、石油で高沸点（即ち、３００〜３９０℃）フラクションを蒸留して得られる様々な液体炭化水素の混合物である。鉱油は環境温度、例えば２０〜２５℃で液体である。結果的に、鉱油は比較的流動性であって、おむつへ適用されたときに移動しやすい。鉱油は環境温度で流動的および移動性であるため、おむつの表面上で局所に留まらず、代わりにおむつの内部へ移動しがちである。そのため、比較的高レベルの鉱油が望ましい治療または防護コーティング効果を発揮させる上でおむつへ適用する必要がある。これは、こうして処理されたおむつ製品のコストを高めるのみならず、内在吸収性芯の吸収力減少を含めて他の不利益も招く。
【００１０】
そのレベルを高めなくとも、適用されると鉱油が移動しやすい傾向は他の不利益も有する。例えば、適用された鉱油は、こうして処理されたおむつ製品で、パッケージまたは包装物質へ移動したり、その中に移ったり、更にはそこを通り過ぎることがある。これは、おむつ製品から鉱油のしみ付きまたは他の漏出を避けるために、バリヤタイプパッケージまたは包装フィルムの必要性を生じることがある。
【００１１】
そのため、特に使用中に着用者と接触する皮膚領域で、改善されたスキンケア効果をもたらすように、身体接触表面にスキンケア組成物をつけた吸収性物品を提供することが望まれるのである。スキンケア組成物は、スキンケア組成物が吸収性物品の身体接触表面上に留まるように、吸収性物品の使用前はできるだけ安定であることが好ましい。吸収性物品が着用者の体へ適用されると、スキンケア組成物は着用者の皮膚へ容易に移って、これらの皮膚効果を発揮することも好ましい。
このように、（１）皮膚効果を発揮し、および（２）吸収性物品の使用前はできるだけ安定でありながら、吸収性物品が着用者の体へ適用されると着用者の皮膚へ移りうる、身体接触表面にスキンケア組成物をつけた吸収性物品に関する必要性がある。
【００１２】
【発明の要旨】
本発明は身体接触表面および吸収性芯を含んでなる吸収性物品に関する。少くとも一部の身体接触表面は、４０℃で固体または半固体であり、かつ、着用者の皮膚へ皮膚効果をもたらすために有効なレベルで、接触、通常の着用者の動作および体熱により身体接触表面から着用者の皮膚に移動可能な、有効量のスキンケア組成物を含んでなる。スキンケア組成物は、４０℃で、約３×１０４dyne/cm2以下の剪断応力で約１０５ポイズ以上の粘度、および約１０６dyne/cm2以上の剪断応力で約１０２ポイズ以下の粘度を有してなる。
【００１３】
本発明は身体接触表面および吸収性芯を含んでなる吸収性物品にも関する。少くとも一部の身体接触表面は、４０℃で固体または半固体であり、かつ、着用者の皮膚へ皮膚効果をもたらすために有効なレベルで、接触、通常の着用者の動作および体熱により身体接触表面から着用者の皮膚に移動可能な、有効量のスキンケア組成物を含んでなる。スキンケア組成物はスキンケア活性成分を含んでなる。スキンケア組成物は、４０℃で、約３×１０４dyne/cm2以下の剪断応力で約１０５ポイズ以上の粘度、および約１０６dyne/cm2以上の剪断応力で約１０２ポイズ以下の粘度を有してなる。
【００１４】
【発明の具体的な説明】
引用されたすべての文献は参考のためそれら全体でここに組み込まれる。いかなる文献の引用も、クレームされた発明の先行技術としてその利用可能性の決定に関する許可ではない。
“含んでなる（comprising）”とは、最終結果に影響を及ぼさない他のステップおよび他のエレメントを加えうることを意味している。この用語は“からなる（consisting of）”および“から本質的になる（consisting essentially of）”という用語を包含している。
ここで用いられているすべてのパーセンテージ、比率および割合は、別記されないかぎり重量による。
【００１５】
Ａ．吸収性物品
ここで“吸収性物品”とは体滲出液（例えば、体液）を吸収および含有する用品に関し、更に詳しくは体から放出される様々な滲出液を吸収および含有するように着用者の皮膚に対して取り付けられる用品に関する。ここで“使い捨て”とは、１回の使用後に吸収性物品として洗濯したり修復または再使用したりさせない吸収性物品を表わすために用いられている。使い捨て吸収性物品の例として、生理用ナプキンおよびパンティライナーのような女性生理用品、おむつ、失禁用ブリーフ、オムツホルダー、トレーニングパンツなどがある。
【００１６】
使い捨て吸収性物品は、典型的には、液体透過性トップシート、トップシートに取り付けられた液体不透過性バックシート、トップシートとバックシートとの間におかれた吸収性芯からなる。使い捨て吸収性物品、並びにトップシート、バックシート、吸収性芯およびこれら構成材の個別層を含めたその構成材は、体側表面および衣類側表面を有している。ここで“体側表面”とは着用者の体へ向けてまたは隣接するように着用される用品または構成材の表面を意味し、一方“衣類側表面”とはその反対側にあって、使い捨て吸収性物品が着用されたときに着用者の体または下着へ向けて着用されるかまたは隣接して配置される。
【００１７】
ここで用いられている吸収性物品の“身体接触表面”という用語は、着用期間中にいずれは着用者と接触するようになる、用品構成材の１以上の表面のことである。身体接触表面とは、使用中に着用者と接触するトップシート、フラップ、レッグカフ、ウエスト領域、サイドパネル、締結タブなどの部分があるが、それらに限定されない。
【００１８】
以下の記載では使い捨て吸収性物品で有用な吸収性芯、トップシートおよびバックシート物質について一般的に記載しているが、使い捨て吸収性物品は必ずしもそれらのすべてを有する必要はない。この一般的記載は、ここで一般的に記載された他の使い捨て吸収性物品のものに加えて、図１〜３で示されて更に以下で記載された具体的な吸収性物品のこれら構成材についてもあてはまると理解されている。
【００１９】
一般的に、吸収性芯は液体（例えば、月経分泌液、尿および／または他の体滲出液）を吸収または保持することができる。吸収性芯は、好ましくは、着用者の皮膚に対して圧縮性、適合性および無刺激性である。吸収性芯は、様々な大きさおよび形状（例えば、長方形、楕円形、くびれ形、“Ｔ”字形、犬骨形、非対称形など）で製造される。吸収性芯は、エアフェルトと通常称される細分化木材パルプのような、吸収性物品で常用される様々な液体吸収物質のうちいずれを含有してもよい。吸収性芯で使用に適した他の吸収物質の例には、クレープ状セルロース詰物；コフォームを含めたメルトブローンポリマー；化学的強化、修飾または架橋セルロース繊維；けん縮ポリエステル繊維のような合成繊維；ピートモス；ティッシュラップおよびティッシュラミネートを含めたティッシュ；吸収フォーム；吸収スポンジ；超吸収ポリマー；吸収ゲル化物質；またはいずれか相当する物質または物質の組合せ、またはこれらの混合物がある。
【００２０】
吸収性芯の構成および構造も様々でよい（例えば、吸収性芯は様々な厚みゾーンおよび／またはセンターで厚くなるようなプロフィル；親水性勾配；吸収複合材の勾配、超吸収材勾配；または低い平均密度および低い平均基本重量ゾーン、例えば捕捉ゾーン；あるいは１以上の層または構造を有してよい）。しかしながら、吸収性芯の総吸収能は吸収性物品の設計荷重および使用意図と適合するべきである。更に、吸収性芯の大きさおよび吸収能は、おむつ、失禁用パッド、パンティライナー、レギュラー生理用ナプキンおよびオーバーナイト生理用ナプキンのような異なる使用に合わせて、および幼児から成人まで着用者に合わせて変えてよい。
吸収性芯は、吸収性物品でよく用いられる他の吸収構成材、例えばダスティング層、吸上または捕捉層、または着用者の安心感を高めるための第二トップシートを含んでもよい。
【００２１】
トップシートは、好ましくは、着用者の皮膚に対してなじんでソフトな感触および無刺激性である。更に、トップシートは液体透過性であって、その厚さを通して液体（例えば月経分泌液および／または尿）を容易に浸透させる。適切なトップシートは、織布および不織物質（例えば、繊維の不織ウェブ）のような様々な物質；有孔成形熱可塑性フィルム、有孔プラスチックフィルムおよびハイドロフォームド熱可塑性フィルムのようなポリマー物質；多孔性フォーム；網状フォーム；網状熱可塑性フィルム；および熱可塑性スクリムから製造してよい。適切な織布および不織物質は、天然繊維（例えば、木またはコットン繊維）、合成繊維（例えば、ポリエステル、ポリプロピレンまたはポリエチレン繊維のようなポリマー繊維）または天然および合成繊維の組合せから構成しうる。トップシートが不織ウェブからなるとき、そのウェブは様々な公知技術により製造してよい。例えば、ウェブはスパン結合(spunbond)、カード(card)、ウェットレイド(wet laid)、メルトブロー、ハイドロインタングル(hydroentangle)、それらの組合せなどでもよい。
【００２２】
バックシートは液体（例えば月経分泌液および／または尿）に対して不透過性であり、好ましくは薄いプラスチックフィルムから製造されるが、他のフレキシブルな液体不透過性物質も用いてよい。ここで“フレキシブル”とは、人体の全体形状および外形になじんで、それと容易にぴったり合わさるような物質に関する。バックシートは、ベッドシーツ、パンツ、パジャマおよび下着のような吸収性物品と接触するものを、吸収性芯に吸収および含有された滲出液で濡らさないようにする。そのため、バックシートは織布または不織物質、ポリエチレンまたはポリプロピレンの熱可塑性フィルムのようなポリマーフィルム、あるいはフィルムコーティング不織物質のような複合物質からなる。適切なバックシートは、約０．０１２ｍｍ（０．５ミル）〜約０．０５１ｍｍ（２．０ミル）の厚さを有するポリエチレンフィルムである。例示ポリエチレンフィルムは、名称Ｐ１８‐１４０１でClopay Corporation,Cincinnati,Ohio、および名称ＸＰ‐３９３８５でTredegar Film Products,Terre Haute,Indianaにより製造されている。バックシートは、より布様の外観を呈するように、エンボスおよび／またはつや消し仕上げしてもよい。更に、バックシートは蒸気を吸収性芯から逃しながら（即ち、バックシートは通気性である）、なおバックシートから滲出液を通り抜けさせないようにしてもよい。バックシートの大きさは、吸収性芯の大きさおよび選択される吸収性物品のデザインそのものに左右される。
【００２３】
バックシートおよびトップシートは、吸収性芯の衣類側表面および体側表面近くに各々位置している。吸収性芯は、好ましくは、当業界で周知のような取付手段により知られている何らかの手法で、トップシート、バックシートまたは双方と連結される。しかしながら、全吸収性芯の一部がトップシート、バックシートまたは双方へ取り付けられていない本発明の態様が考えられる。
【００２４】
例えば、トップシートおよび／またはバックシートは、当業界で知られたいずれか適切な手法で、吸収性芯へまたは互いに連結される。この明細書で用いられている“連結された”という用語には、エレメントを他のエレメントへ直接付けることによりエレメントが他のエレメントへ直接取り付けられた構成；エレメントを中間材へ付けてから他のエレメントへ付けることにより、エレメントが他のエレメントへ間接的に取り付けられた構成；１つのエレメントが他のエレメントと一体になった、即ち１つのエレメントが本質的に他のエレメントの一部となった構成を包含している。バックシートおよび／またはトップシートは、接着剤の均一連続層、接着剤のパターン層、または接着剤の別々なライン、スパイラルもしくはスポット配列により、接着コアへまたは互いに連結してもよい。申し分ないとわかった接着剤は、名称ＨＬ‐１２５８またはＨ‐２０３１でH.B.Fuller Company,St.Paul,Minnesotaにより製造されている。取付手段は、１９８６年３月４日付でMinetolaらに発行された、参考のためここに組み込まれるＵＳ特許４，５７３，９８６で開示されているように、好ましくは接着剤のフィラメントのオープンパターンネットワークを形成する。フィラメントのオープンパターンネットワークの例示取付手段は、１９７５年１０月７日付でSprague,Jrに発行されたＵＳ特許３，９１１，１７３、１９７８年１１月２２日付でZwiekerらに発行されたＵＳ特許４，７８５，９９６および１９８９年６月２７日付でWereniczに発行されたＵＳ特許４，８４２，６６６で示された装置および方法で例示されているような、スパイラルパターンに渦巻いた接着フィラメントのいくつかのラインからなる。これら特許の各々は参考のためここに組み込まれる。一方、取付手段は、当業界で知られているような、熱結合、圧力結合、超音波結合、動的機械的結合、いずれか他の適切な取付手段またはこれら取付手段の組合せでもよい。
【００２５】
スキンケア組成物は吸収性物品の身体接触表面の少くとも一部へ適用される。スキンケア組成物は身体接触表面の一部または全部へ適用される。身体接触表面の全体へスキンケア組成物を適用することが好ましい。更に、スキンケア組成物は所望であれば吸収性物品の衣類側表面へ適用してもよい。スキンケア組成物はいずれか適切な構成で、例えば複数のストリップ、複数のウェーブライン、複数のドットなどで適用してよい。スキンケア組成物の詳細は以下で記載されている。
【００２６】
吸収性物品の好ましい態様は図１で示されている。女性防護用品の１タイプであって、着用者の外陰部付近で外部使用向けに用いられる生理用ナプキンが、図１で示されている。図１で示されているように、生理用ナプキン２０は、好ましくは吸収手段（または“本体部分”）２２および２つの任意フラップ２４からなる。生理用ナプキン２０は２つの表面、即ち体に面する表面または“体側表面”および／または衣類側表面２０Ｂを有している。生理用ナプキン２０は、その体側表面２０Ａからみて、図１で示されている。体側表面２０Ａは着用者の体と接するように着用させる。衣類側表面２０Ｂは、生理用ナプキン２０が着用されるときに、着用者の下着と接するように置かれる。図１で示された態様において、“身体接触表面”には体側表面２０Ａを含む。
【００２７】
生理用ナプキン２０は２つのセンターライン、即ち主縦方向センターラインＬおよび主横方向センターラインＴを有している。ここで用いられている“縦方向”という用語は、生理用ナプキン２０が着用されるときに、立ったままの着用者を左右の体半分に二部する垂直面と（例えば、略平行に）そろえて通常並べられた生理用ナプキン２０の面におけるライン、軸または方向に関する。ここで用いられている“横方向”または“左右方向”という用語は互換的であり、縦方向に対して通常垂直な生理用ナプキン２０の面内におけるライン、軸または方向に関する。
【００２８】
図１は、生理用ナプキン２０の本体部分２２がフラップ２４のない生理用ナプキンの一部を含んでなることを示している。本体部分２２は、２つの間隔をあけた縦方向端部２６、２つの間隔をあけた縦方向または末端部（または“末端”）２８を有しており、それらは一緒になって本体部分の外縁部３０を形成している。本体部分２２は、第一末端領域３２および第二末端領域３４と称される２つの末端領域も有している。中央領域３６は末端領域３２および３４の間に位置する。末端領域３２および３４は、本体部分の長さの約１／８〜約１／３で、中央領域３６の端部から縦方向に延出してなる。生理用ナプキンで中央領域および２つの末端領域の特徴に関する詳細な記載は、１９８７年９月１日付でHigginsに発行されたＵＳ特許４，６９０，６８０に含まれている。
【００２９】
生理用ナプキン２０の本体部分２２は、比較的厚い、中程度の厚さ、比較的薄い、更には非常に薄い（または“極薄”）を含めて、いかなる厚さであってもよい。Osbornに発行されたＵＳ特許４，９５０，２６４および５，００９，６５３で記載されているような“極薄”生理用ナプキン２０は、好ましくは約３ｍｍ未満の厚みを有している。図で示された生理用ナプキン２０の態様は極薄生理用ナプキンの例として考えられている。生理用ナプキン２０の本体部分２２は比較的フレキシブルでもよいため、それは着用者にとり快適である。しかしながら、示された生理用ナプキンは一態様にすぎず、本発明は図で示された具体的構成を有するタイプの吸収性物品に限定されないことが理解されるべきである。
【００３０】
図２は生理用ナプキン２０の本体部分２２の個別構成材を示している。生理用ナプキン２０の本体部分２２は、好ましくは少くとも３つの主要構成材を含んでなる。これらには、液体透過性トップシート３８、液体不透過性バックシート４０、トップシート３８とバックシート４０との間におかれた吸収性芯４２がある。場合により、吸収性芯４２は捕捉構成材４４のような他の構成材を含んでもよい。捕捉構成材４４はトップシート３８と吸収性芯４２との間におかれた別な構成材でもよく、あるいはそれは複合トップシートの一部または吸収性芯４２の一部でもよい。
【００３１】
生理用ナプキン２０で使用に特に適したトップシート３８は有孔成形フィルムを含んでなる。有孔成形フィルムはトップシートにとり好ましく、その理由は、それらが体滲出液に対して透過性であり、適正に穿孔されたならば、液体が着用者の皮膚へ逆戻りして再湿潤させる傾向を減らせるからである。そのため、体と接触している成形フィルムの表面は乾燥したままであり、こうして体の汚れを減少させて、より快適な感触を着用者にもたらしている。適切な成形フィルムは、１９７５年１２月３０日付でThompsonに発行された“テーパーキャピラリーを有する吸収構造”と題するＵＳ特許３，９２９，１３５；１９８２年４月１３日付でMullaneらに発行された“耐汚染性トップシートを有する使い捨て吸収性物品”と題するＵＳ特許４，３２４，２４６；１９８２年８月３日付でRadelらに発行された“繊維様性質を示す弾性プラスチックウェブ”と題するＵＳ特許４，３４２，３１４；１９８４年７月３１日付でAhrらに発行された“非光沢可視表面および布様触感を示す、肉眼的に引き伸ばした三次元プラスチックウェブ”と題するＵＳ特許４，４６３，０４５；１９８８年１０月２５日付でPalumboに発行された“吸収衛生用品用のカバーリング構造、およびこのようなカバーリングを有する吸収製品”と題するＵＳ特許４，７８０，３５２；１９９１年４月９日付でBairdに発行された“多層ポリマーフィルム”と題するＵＳ特許５，００６，３９４；１９９５年５月３１日付でOuelletteらの名で出願された“表面エネルギー勾配を示す流体輸送ウェブ”と題するＵＳ特許出願０８／４４２，９３５（１９９６年１月１１日付で公開されたＰＣＴ公開ＷＯ９６／００５４８）で記載されている。
【００３２】
好ましい態様において、トップシート３８はRadelらに発行されたＵＳ特許４，３４２，３１４およびAhrらに発行された４，４６３，０４５に従い作製された有孔成形フィルムからなり、これはThe Procter & Gamble Company,Cincinnati,ＯＨからDRI-WEAVEトップシートとして生理用ナプキン向けに販売されている。このような有孔フィルムは、好ましくはTredegar Film Products,Terre Haute,ＩＮから製品Ｎｏ．Ｘ‐５６５２として得られる。この好ましい態様では、製造中に有孔フィルムを形成するために用いられる樹脂は、好ましくはそこに界面活性剤を配合して供される。
【００３３】
本発明の好ましい態様において、トップシート３８の体側表面は液体がそのトップシートをより容易に通れるように親水性である。トップシートが親水性物質から作られているならば、トップシートの少くとも上側表面は、液体がそのトップシートをより容易に通れるように、親水性となるよう処理される。これは、月経分泌液が吸収性芯に流入して吸収されるよりも、むしろトップシートからわきへ流れ出す可能性を減らす。トップシート３８の体側表面は、それを界面活性剤で処理することで親水性にすることができる。トップシートを界面活性剤で処理する適切な方法は、Osbornに発行されたＵＳ特許４，９５０，２５４；１９９１年１月２９日付でReisingらに発行された“多層吸収層を有する吸収性物品”と題するＵＳ特許４，９８８，３４４；および１９９１年１月２９日付でReisingに発行された“即時捕捉吸収性芯を有する吸収性物品”と題するＵＳ特許４，９８８，３４５で記載されている。
【００３４】
生理用ナプキン２０で使用に特に適したバックシート４０は、前記のように約０．０１２ｍｍ（０．５ミル）〜約０．０５１ｍｍ（２．０ミル）の厚さを有したポリエチレンフィルムを含んでなる。適切なバックシート物質は、Clopay Corporation,Cincinnati,Ohioから製品Ｎｏ．Ｐ１８‐１４０１として得られる。適切な通気性バックシート物質は、テーパーキャピラリーの小さな開口部が、ExxonのＵＳ特許４，７７７，０７３で記載されているような微孔質フィルムへ接着してラミネートされた吸収性芯４２と面するように反転された、Thompsonに発行されたＵＳ特許３，９２９，１３５で記載されているような有孔フィルムのラミネートである。
【００３５】
生理用ナプキン２０で使用に特に適した吸収性芯４２は、マルチボンデッド・エアレイド(multi-bonded air laid)不織物質を含んでなる。この好ましい態様において、このマルチボンデッド・エアレイド不織物質は、約５２％セルロース繊維、約２０％二成分繊維、約２５％超吸収ヒドロゲル形成物質（または吸収ゲル化物質）粒子および約３％ラテックス結合剤を含んでなる。吸収性芯４２は、好ましくは、吸収ゲル化物質の粒子を含めて、約１２５g/yd2（約１５０g/m2）の基本重量を有している。好ましくは、このマルチボンデッド・エアレイド不織吸収性芯４２は、セルロースおよび二成分繊維の３ストリームを積み重ねて、吸収性芯のボトム部分を形成するために吸収ゲル化物質粒子５８を繊維の最終ストリームに配することにより形成される。吸収性芯４２は好ましい態様で図２および３にラミネートとして示されているが、繊維は単一ウェブを形成するために一緒にブレンドされる。このようなマルチボンデッド・エアレイド不織物質は、好ましくはMerfin Hygienic Productsから製品915000X313としてロール形で得られる。
【００３６】
別の態様では、吸収性芯に用いられるマルチボンデッド・エアレイド不織物質は（例えば、デンプンまたはＰＶＡのような）ラテックス以外の物質を用いて結合させうる。もう１つの別の態様では、吸収性芯は、好ましくは約１５０g/m2の基本重量を有して、２層（またはそれ以上）のマルチボンデッド・エアレイド不織物質の間に吸収ゲル化物質の粒子を入れたラミネートとして形成してもよい。適切なラミネート吸収性芯構造は、Osbornに発行されたＵＳ特許４，９５０，２６４および５，００９，６５３、Emenakerらに発行されたＵＳ特許５，４６０，６２３で一般的に記載されている。もう１つの適切な吸収性芯は、１９９３年９月１６日付でHinesらの名で出願された“上向きに凸状形状をとるコアを有した生理用ナプキン”と題するＵＳ特許出願０８／１２２，１１４（１９９５年３月２３日付で公開されたＰＣＴ公開ＷＯ９５／０７６７４）で記載されている。
【００３７】
厚い生理用ナプキンの場合には、吸収性芯４２は好ましくはエアフェルトから構成される。厚い生理用ナプキンに適した吸収性芯は、Snellerらに発行されたＵＳ特許５，２３４，４２２で記載されている。好ましい態様では、トップシート３８、捕捉構成材４４および吸収性芯４２には、Snellerらの特許で示されているように、エンボスチャンネルを設けることができる。このようなエンボスチャンネルが用いられるならば、それらは未結合ウインドー５４の側面を定める縦方向凹状ライン５６Ａの外側で横向きに配置されることが好ましい。
【００３８】
吸収性芯４２は場合により捕捉構成材４４を含んでいる。捕捉構成材４４はいかなる適切な物質から作製してもよい。捕捉構成材４４は、例えば織布または不織物質から構成してもよい。これら物質の繊維または他の成分は、合成でも、または部分的合成および部分的天然でもよい。適切な合成繊維には、ポリエステル、ポリプロピレン、ポリエチレン、ナイロン、ビスコースレーヨンまたはセルロースアセテート繊維がある。適切な天然繊維には、コットン、セルロースまたは他の天然繊維がある。捕捉構成材４４は少くとも部分的に架橋セルロース繊維から構成してもよい。捕捉構成材４４は、不織であるとき、いくつかの異なるプロセスにより作製しうる。これらにはエアレイド、ウェットレイド、メルトブロー、スパン結合、カード、熱結合、エアスルー(air through)結合、粉末結合、ラテックス結合、溶媒結合、スパンレースおよびそれらの組合せがあるが、それらに限定されない。
【００３９】
生理用ナプキン２０で使用に特に適した捕捉構成材４４は、不織物質２種のラミネートを含んでなる。最上層は好ましくは１９g/yd2（２２．５g/m2）スパン結合ポリプロピレン不織物質からなり、これは製品No.065MLPV60U（または“Ｐ‐９”）としてFiberweb,North America of Washougal,ＷＡから得られる。最下層は、好ましくは、粉末結合およびラテックス結合を用いて熱結合されたマルチボンデッド・エアレイド不織物質からなる。好ましい態様において、このマルチボンデッド・エアレイド不織物質は約７７％セルロース繊維、約２０％粉末結合剤および約３％ラテックス結合剤（ウェブの各側に１．５％スプレー塗布する）からなり、約５０g/yd2（約６０g/m2）の基本重量を有する。このようなマルチボンデッド・エアレイド不織物質は、好ましくはMerfin Hygienic Products,Ltd.,Delta,British Columbia,Canadaから製品No.90830X312として得られる。これら２つの不織層は、好ましくは、マルチボンデッド・エアレイド不織物質をスパン結合ポリプロピレン不織物質上へ重ねることにより、一緒にラミネートされる。スパン結合物質は、このラミネートを形成するプロセスで、プロセス助剤またはキャリアウェブとして用いられる。
【００４０】
別の態様では、スパン結合ポリプロピレン不織物質は大きなまたは小さな基本重量を有してもよく、あるいはエアレイドティッシュ、ウェットレイドティッシュまたは上記物質のいずれかにより置き換えてもよい。ウェットレイドティッシュがポリプロピレン不織物質の代わりに用いられるならば、最終製品においてマルチボンデッド・エアレイド不織物質がウェットレイドティッシュ層の上になるように、ラミネートの向きが反転されることが好ましい。厚い生理用ナプキンの場合には、上記いずれの捕捉構成材も用いうる。加えて、１つの好ましい厚い生理用ナプキン態様では、低密度ラテックス結合エアレイド物質が全捕捉構成材として用いうる（即ち、第三のトップシートは不要である）。この目的に適した低密度ラテックス結合エアレイド物質は製品No.FG413MHBとして知られた約８０g/m2の基本重量を有する物質であり、これはWalkisoft,USA,Mt.Holly,ＮＣから得られる。
【００４１】
トップシート３８、バックシート４０および吸収性芯４２は（積層または“サンドイッチ”構造およびラップまたは“チューブ” 構造を含めて）当業界で知られた様々な構造から組み立てられる。図１〜３はサンドイッチ構造で組み立てられた生理用ナプキン２０の好ましい態様を示している。図１〜３において、トップシート３８およびバックシート４０は吸収性芯４２の場合よりも通常大きな長さおよび幅寸法を有している。トップシート３８およびバックシート４０は吸収性芯４２の端部から延出して、外縁部３０の部分を形成している。捕捉構成材４４を有する図２および３で示された態様において、トップシート３８の衣類側は好ましくは吸収性芯の体側（即ち、捕捉構成材４４の体側）へ連結される。吸収性芯４２が積層構造を有しているならば、各層は所望であれば互いに連結してもよい。捕捉構成材４４も、所望であれば吸収性芯４２へ連結してよい。これらの構成材が連結されるならば、それらは前記いずれかの手法でつなげることができる。バックシート４０は、好ましくは吸収性芯４２の衣類側へ接着剤により連結される。
【００４２】
吸収性芯４２の端部から延出したトップシート３８およびバックシート４０の部分も、好ましくは互いに連結される。好ましくは、示された態様において、トップシート３８およびバックシート４０のこれら部分は、吸収性芯４２の端部よりも外へ伸びた実質的に全部の部分で接着剤および本体部分２２の末端部２８でクリンプシールを用いて連結され、そこでトップシート３８およびバックシート４０が圧力または熱および圧力の適用で高密度化される。
【００４３】
上記のように図１〜３で示された生理用ナプキン２０は、本体部分２２へ連結された任意対のフラップ２４を有している。そのフラップ２４は、近位端６０から遠位端（または“自由端”）６２まで、本体部分２２の縦方向側端部２６より外側へ横向きに伸びている。フラップ２４は本体部分２２の少くとも中央領域３６から外側へ伸びている。
【００４４】
フラップ２４は、いずれか適切な手法で本体部分２２へつなげることができる。好ましくは、図１〜３で示された態様において、フラップ２４は本体部分２２と一体である（即ち、フラップ２４はトップシート３８およびバックシート４０の一体的伸長部分である）。他の別な態様において、フラップ２４は本体部分２２へ連結された別の構成材でもよい。フラップ２４は接合部に沿って本体部分２２へ各々連結される（または結合される）。これは典型的には縦向き（または“縦方向”）接合部、例えば接合部６８のラインである。ここで用いられている“接合部”（または“接合部のライン”）という用語は、フラップ２４が本体部分２２から伸びたおよび／または連結された領域に関する。図で示された態様における接合部６８のラインは、凹状の内側向き領域またはラインにより定められるとみなしうる。生理用ナプキン２０が着用者により着用されるとき、フラップ２４は着用者の下着のところで折り返される。フラップ２４は典型的には近位端６０に沿いまたはその付近で折り返される。着用者の下着の股部の幅が本体部分２２のものよりも狭ければ、フラップ２４は近位端６０の内側で本体部分２２の縦方向部分に沿い折り返されることがある。着用者の下着の股部の幅が本体部分２２のものよりも広ければ、フラップ２４は以下で記載された本体部分２２のヒンジ７０に沿い折り返されることがある。
【００４５】
フラップ２４はいかなる適切な構造であってもよい。適切なフラップは、１９９３年４月２７日付で再審証が発行されたVan Tilburgの“生理用ナプキン”と題する再審特許Ｂ１  ４，５８９，８７６；１９８７年８月１８日付でVan Tilburgに発行された“フラップ付き成形生理用ナプキン”と題するＵＳ特許４，６８７，４７８；１９９５年２月１４日付でLavashらに発行された“異なる伸びのフラップおよびゾーンを有した吸収性物品”と題するＵＳ特許５，３８９，０９４；１９９６年９月２４日付でWeinbergerらに発行された“伸びゾーン付き下着カバーリング構成材を有した吸収性物品”と題するＵＳ特許５，５５８，６６３（着用者により適用されるフラップの代わりとなるものを記載している）；およびLashらの名で１９９６年１０月３日付で出願された“ステップ構造付きフラップおよび伸びゾーンを有した吸収性物品”と題する国際特許出願ＰＣＴ  ＵＳ９６／１５９５７で記載されている。
【００４６】
生理用ナプキン２０の衣類側表面２０Ｂは、生理用ナプキンを着用者の下着へ取り付けるためのファスナーを有してもよく、好ましくは有する。図２は、下着の股領域へ生理用ナプキンの本体部分２２を確保しうるように適合させた中央パッドファスナー８２を示している。接着剤ファスナーおよび機械ファスナーのように、当業界で知られたいかなるタイプのファスナーも用いてよい。接着剤からなるファスナーはこの目的にとりうまく働くことがわかり、感圧性接着剤が好ましい。好ましい態様において、中央パッドファスナー８２は、縦方向センターラインＬ付近を中心にして、間隔をあけた一対の縦向きストリップまたはゾーンの接着剤からなる。
【００４７】
フラップの遠位端６２付近におけるフラップ２４の外側表面には、好ましくはフラップ接着剤８４がつけられる。フラップ接着剤８４は、それらがパンティの股部分の端部付近でラップされた後、適所でフラップ２４の維持に役立つように用いられる。適切な接着剤ファスナーは、ＵＳ特許４，９１７，６９７で更に詳細に記載されている。フラップ２４は、衣類または反対側のフラップへフラップ２４を取り付けることにより、適所で維持しうる。
【００４８】
ファスナーは接着剤付着手段に限定されない。当業界で用いられるいかなるタイプのファスナーもこのような目的に用いうる。例えば、生理用ナプキン２０は、１９９０年８月７日付でBattrellに発行された“感圧性接着剤ファスナーおよびその製造方法”と題するＵＳ特許４，９４６，５２７または１９９５年２月２８日付でGoulaitらに発行された“粗くない皮膚に優しい機械ファスナー系”と題するＵＳ特許５，３９２，４９８で記載されたファスナーまたはVELCROのような機械ファスナーにより、着用者の下着へ定着される。しかしながら、簡素化のために、ファスナーは接着剤付着手段に関して記載されている。
【００４９】
接着剤付着手段は、いずれも８６で図示された、取外し可能なリリースライナー、中央パッドリリースライナーおよびフラップリリースライナーで各々カバーされる。感圧性接着剤は、使用前に接着剤が外表面へつかないように、リリースライナー８６でカバーしておくべきである。適切なリリースライナーはＵＳ特許４，９１７，６９７で記載されている。生理用ナプキンをラップするための個別パッケージとしても役立つ特に好ましいリリースライナーは、Swansonらに発行されたＵＳ特許４，５５６，１４６で記載されている。
【００５０】
図１〜３で示された生理用ナプキン２０は、本体部分２２と少くとも一部のフラップ２４との間にヒンジ７０を形成する変形領域を有してもよい。生理用ナプキン２０は、好ましくは、それらがパンティ股付近で折り畳まれたときにフラップ２４へ加わる力を和らげるために、少くとも１つの伸びゾーン（または“異なる伸びのゾーン”）７２も有している。これらは、参考のためここに組み込まれる、“変形ヒンジおよび伸びのゾーン付きフラップを有する吸収性物品”と題する１９９７年４月１０日付で公開されたＰＣＴ公開ＷＯ９７／１２５７６で記載されている。
【００５１】
スキンケア組成物は生理用ナプキン２０の身体接触表面の少くとも一部に適用される。スキンケア組成物は生理用ナプキン２０の身体接触表面のどの部分へ適用してもよい。所望であれば、スキンケア組成物は生理用ナプキン２０の衣類側表面の一部へ適用してもよい。図１で示された態様において、スキンケア組成物は、好ましくは本体部分２２のトップシート３８の全体へ適用される。スキンケア組成物は、好ましくはフラップ２４の一体的トップシート３８の全面へも適用される。一方、スキンケア組成物は本体部分２２のトップシート３８の一部および／またはフラップ２４の一体的トップシート３８の一部のみへ適用してもよい。例えば、スキンケア組成物は、生理用ナプキン２０の標準使用条件下で着用者の皮膚と接触するとは予想されないフラップ２４の部分（例えば、遠位端６２近くにおけるフラップ２４の遠位部分９１（図４参照））へは適用しなくてよい。しかしながら、スキンケア組成物が生理用ナプキンの一部へ選択的に適用されるならば、スキンケア組成物はフラップ２４が折り返されると予想されるフラップ折り返し部分９０へ適用されることが好ましい。生理用ナプキン２０のフラップ折り返し部分９０へ適用されたスキンケア組成物は、着用者の皮膚に対する生理用ナプキン２０のフラップ折り返し部分９０のこすれに起因した、かゆみおよび／または擦過傷のような着用者の不快感を減少させる。スキンケア組成物が生理用ナプキンの一部へ選択的に適用されるならば、スキンケア組成物は生理用ナプキン２０の縦方向末端部９２および９４へ適用されることも好ましい。生理用ナプキン２０のフロント末端部９２へ適用されたスキンケア組成物は（陰毛付近における着用者の体の一部に相当する）生理用ナプキン２０のフロント領域でかゆみを減少させやすい。生理用ナプキン２０のバック末端部９４へ適用されたスキンケア組成物は（肛門付近における着用者の体の一部に相当する）生理用ナプキン２０のバック領域で着用者の皮膚への生理用ナプキンの付着を減少させやすい。スキンケア組成物が生理用ナプキン２０の中央部分９６へ適用されることも好ましい。生理用ナプキン２０の中央部分９６へ適用されたスキンケア組成物は（外陰部付近における着用者の体の一部に相当する）生理用ナプキン２０の中央領域で着用者の皮膚への生理用ナプキンの付着を減少させやすい。もう１つの態様において、生理用ナプキン２０が縦方向末端部２６に沿ってカフを有しているならば、そのカフの表面はスキンケア組成物で処理してもよい。
【００５２】
生理用ナプキン２０の多くの他の態様が可能である。例えば、生理用ナプキンの本体部分は、改善された一体性および捕捉性のためにここで記載されたようなその構成材を結合させた、複合生理用ナプキンの形で供給することができる。複合生理用ナプキンの一般的記載は、１９８４年１月１０日付でDesMaraisらに発行された“複合生理用ナプキン”と題するＰ＆ＧのＵＳ特許４，４２５，１３０、および１９９６年１１月５日付でMayerらの名で公開された“ボディフィット複合生理用ナプキン”と題する制定法発明登録Ｈ１６１４でみられる。複合生理用ナプキンを形成するために、ここで記載されたような生理用ナプキンはパンティプロテクター（または“ベースパッド”）として役立ち、トップシートでラップされた吸収物質のチューブ（または“主要月経パッド”）は生理用ナプキンの上におかれて、末端でそれに接着させることができる。ベースパッドにおける融着は、好ましくは、ここで図面に示されたような手法で配される。生理用ナプキンへのチューブの接着は、好ましくは、ベースパッドへチューブの末端でトップシート物質の融着伸長により行われる。このような複合生理用ナプキンの一部好ましい態様では、吸収物質のチューブの末端とベースパッドとの接着もあってよい。複合生理用ナプキンのチューブは、接着剤のようないずれか適切な接着手段により、その末端間でベースパッドへ接着させることができる。
【００５３】
スキンケア組成物は他のタイプの吸収性物品の身体接触表面へ適用してもよい。身体接触表面を有するこのような吸収性物品には、タンポン、陰唇間吸収性物品、パンティライナー、失禁用品、幼児用おむつを含めたおむつ、トレーニングパンツ、成人失禁用おむつなどがあるが、それらに限定されない。
【００５４】
ここで“タンポン”とは、液体の吸収用に膣管または他の体腔へ挿入されるあらゆるタイプの吸収構造に関する。基本的なタンポン構造は、１９３３年９月１２日付でHaasに発行されたＵＳ特許１，９２６，９００；１９３４年７月３日付でHaasに発行されたＵＳ特許１，９４６，９１１；および１９６７年５月３０日付でGiswoldらに発行されたＵＳ特許３，３２２，１２３で記載されている。
【００５５】
ここで“陰唇間吸収性物品”とは、月経目的、失禁防護または双方のために女性着用者の陰唇間スペースに挿入しうる吸収性物品に関する。適切な陰唇間吸収性物品は、例えば、１９９８年６月９日付でOsbornらに発行された“トイレ使い捨て吸収陰唇間用品”と題するＵＳ特許５，７６２，６４４；１９９８年７月９日付でOsbornらの名で公開された“薄くて心地よい陰唇間吸収構造”と題するＰＣＴ公開ＷＯ９８／２９０７８；１９９９年１月２６日付でMayerに発行された“陰唇間吸収性物品”と題するＵＳ特許４０４，８１４；Brownらの名で１９９８年５月１日付で出願されたＵＳ出願０９／０７１，４２５で開示されている。
【００５６】
“パンティライナー”という用語は、通常月経期間中に女性により着用される、生理用ナプキンほどかさばらない吸収性物品に関する。適切な吸収性物品は、例えば、１９８８年４月１９日付でOsbornに発行された“パンティライナー”と題するＵＳ特許４，７３８，６７６で開示されている。
【００５７】
ここで“失禁用品”とは、それらが成人または他の失禁者により着用されるかどうかにかかわらず、パッド、下着（ベルトなどのような同タイプの取り付けシステムで適所に保たれるパッド）、吸収性物品向けインサート、吸収性物品向けキャパシティブースター、ブリーフ、ベッドパッドなどに関する。適切な失禁用品は、例えば、１９８１年３月３日付でStricklandらに発行されたＵＳ特許４，２５３，４６１；Buellに発行されたＵＳ特許４，５９７，７６０および４，５９７，７６１；前記のＵＳ特許４，７０４，１１５；Ahrらに発行されたＵＳ特許４，９０９，８０２；１９９０年１０月２３日付でGipsonらに発行されたＵＳ特許４，９６４，８６０；および１９９１年１月３日付でNoelにより出願されたＵＳ特許出願０７／６３７，０９０（１９９２年７月２３日付で公開されたＰＣＴ公開ＷＯ９２／１１８３０）で開示されている。
【００５８】
ここで“おむつ”とは、着用者の胴体下部付近で着用される、幼児および失禁者により通常着用される吸収性物品に関する。適切なおむつは、例えば、１９７５年１月１４日付でBuellに発行されたＵＳ特許３，８６０，００３；１９９２年９月２９日付でBuellらに発行されたＵＳ特許５，１５１，０９２；１９９３年６月２２日付でBuellらに発行されたＵＳ特許５，２２１，２７４；および１９９６年９月１０日付でRoeらに発行されたＵＳ特許５，５５４，１４５で開示されている。
【００５９】
ここで“トレーニングパンツ”とは、取り付けサイドおよび開口部を有する使い捨て衣類に関する。トレーニングパンツは、着用者の足を足開口部へ入れて、トレーニングパンツを着用者の胴体下部付近まで適所にひっぱりあげることにより、着用者の適所に取り付けられる。適切なトレーニングパンツは、例えば、１９９３年９月２１日付でHasseらに発行されたＵＳ特許５，２４６，４３３で開示されている。
【００６０】
スキンケア組成物は吸収性物品の身体接触表面の一部または全体へ適用される。例えば、スキンケア組成物は吸収性物品のトップシートの一部または全体へ適用してもよい。吸収性物品がカフのような着用者の皮膚と接触する他の部分を有しているならば、スキンケア組成物はそれら部分の一部または全体へ適用してもよい。ここで“カフ”には、バリヤカフ、ガスケットカフ、それらの組合せおよびバリエーションを含めたレッグカフ；横漏れバリヤおよびポケット／スペーサー；サイドパネル；ウエストフラップ、ウエストバンド、ウエストキャップ、および一体型ウエストキャップ／ウエストバンドを含めたウエストカフ；およびこれらカフの全部または一部の組合せがある。
【００６１】
スキンケア組成物で処理された代表的トップシートは、例えば、１９９７年７月１日付でRoe,Bakes & Warnerに発行された“ローション入りトップシートを有するおむつ”ＵＳ特許５，６４３，５８８；１９９７年６月３日付でRoe & Mackeyに発行された“ポリシロキサン皮膚軟化剤を含有したローション入りトップシートを有するおむつ”ＵＳ特許５，６３５，１９１；１９９７年３月１１日付でRoeに発行された“液体ポリオールポリエステル皮膚軟化剤および定着剤を含有したローション入りトップシートを有するおむつ”ＵＳ特許５，６０９，５８７；および１９９７年３月４日付でRoeに発行された“皮膚軟化剤およびポリオールポリエステル定着剤を含有したローション入りトップシートを有する使い捨て吸収性物品”ＵＳ特許５，６０７，７６０で記載されている；それら各々が参考のためここに組み込まれる。このように処理されたトップシートを有する吸収性物品の繰返し使用によりスキンケア組成物をデリバリーするための方法は、１９９７年９月１０日付で出願されたElderらの“スキンヘルスを維持または改善するための方法”ＵＳ特許出願０８／９２６，５３２；１９９７年９月１０日付で出願されたVan Rijswijckらの“スキンコンディションを改善するための方法”ＵＳ特許出願０８／９２６，５３３；および１９９７年８月８日付で出願されたRoeらの“ローション入りトップシートを有するおむつ”ＵＳ特許出願０８／９０８，８５２で開示されている；それら各々が参考のためここに組み込まれる。スキンケア組成物で処理された代表的カフは、例えば、１９９６年１２月３日付で出願されたSchulteらの“ローション入りレッグカフを有する吸収性物品”ＵＳ特許出願０８／７６６，３８６；１９９７年４月２４日付で出願されたSchulteらの“ポリシロキサン皮膚軟化剤を含有したローション入りレッグカフを有する吸収性物品”ＵＳ特許出願０８／８４０，０３９；１９９７年１０月３１日付で出願されたSchulteらの“スキンケア組成物を含有させたカフおよびトップシートを有する吸収性物品”ＵＳ特許出願０８／９６２，３１０；１９９７年１０月３１日付で出願されたVanriらの“スキンケア組成物を含有させたカフおよびトップシートを有する吸収性物品”ＵＳ特許出願０８／９６２，３１２で記載されている；それら各々が参考のためここに組み込まれる。スキンケア組成物で処理された代表的陰唇間吸収性物品は、例えば、１９９７年６月５日付で出願されたOsbornらの“皮膚軟化剤処理吸収陰唇間用品”ＵＳ特許出願０８／８６９，８９７；１９９７年６月５日付で出願されたOsbornらの“ポリシロキサン皮膚軟化剤で処理された吸収陰唇間用品”ＵＳ特許出願０８／８６９，７００で開示されている；それら各々が参考のためここに組み込まれる。スキンケア組成物で処理された通気性を有する代表的吸収性物品は、例えば、０９／１０／９７付で出願されたElderらの“スキンコンディション効果を示す使い捨て吸収性物品”ＵＳ特許出願０８／９２６，５６６で開示されている。
【００６２】
Ｂ．スキンケア組成物
本発明に従いデリバリーされる特定のスキンケア組成物（ここでは“スキンケア組成物”および“組成物”と称される）は望ましい皮膚効果をもたらす上で重要なファクターであるが、スキンケア組成物は、皮膚の水分過剰および体滲出液に含有された物質への皮膚暴露を避けうる防護的非閉塞機能（例えば、比較的液体不透過性だが、蒸気透過性のバリヤ）、吸収性物品の身体接触表面が着用者の皮膚と接触する部分で皮膚刺激を減らせる擦過最少化機能を発揮するか、あるいはスキンケア効果を直接的または間接的にもたらす剤を含有していることが好ましい。例えば、間接効果には月経分泌液、糞または尿のような皮膚刺激物の改善された除去性を含む。その組成物はエマルジョン、ローション、クリーム、軟膏、膏薬、粉末、懸濁物、封入物、ゲルなどを含めて様々な形態をとりうるが、それらに限定されない。
【００６３】
スキンケア組成物は２０℃で固体または半固体であり、４０℃で固体または半固体である。ここで“半固体”とは、スキンケア組成物が粘弾性を有することを意味する（即ち、剪断応力が加えられたとき、スキンケア組成物は固体の外観を有する。しかしながら、剪断応力が増すと、スキンケア組成物は流体として流れ出す）。この性質は静止条件下（例えば、製品が貯蔵および／または輸送中にある条件下）でスキンケア組成物の安定性を確保し、機械的剪断下（例えば、製品が着用者により着用されて、剪断応力がスキンケア組成物に加えられる条件下）で皮膚効果のために皮膚へ移行しうるスキンケア組成物の利用性を最大化させる。
【００６４】
スキンケア組成物は、４０℃において、約３×１０４dyne/cm2以下の剪断応力で約１０５ポイズ以上の粘度、約１０６dyne/cm2以上の剪断応力で約１０２ポイズ以下の粘度を有する。好ましくは、スキンケア組成物は、４０℃において、約３×１０４dyne/cm2以下の剪断応力で約１０６ポイズ以上の粘度、約１０６dyne/cm2以上の剪断応力で約１０１ポイズ以下の粘度を有する。ここでは、４０℃は、用品が貯蔵もしくは輸送中にあるかまたは皮膚と接触して着用されているときにスキンケア組成物が有しうる温度を表わす。約３×１０４dyne/cm2の剪断応力は、用品が貯蔵または輸送中にあるときにスキンケア組成物へ加えられる最大剪断応力を表わす。約１０６dyne/cm2の剪断応力は、用品が着用されているときに少くとも１回スキンケア組成物へ加えられる最大剪断応力を表わす。約１０５ポイズの粘度は、貯蔵または輸送中にスキンケア組成物を動かさないようにする上で必要な最低粘度である。約１０６ポイズ以上の粘度が、スキンケア組成物を動かさないようにする上でより好ましい。約１０２ポイズの粘度が、着用者の皮膚と用品の身体接触表面とで効果的な減摩および着用者の皮膚へのスキンケア組成物の移行を得る上で必要とされる最高粘度である。約１０１ポイズ以下の粘度が、効果的な減摩およびスキンケア組成物の移行にとりより好ましい。様々な剪断応力下における粘度は、コーン対プレートまたはプレート対プレートタイプレオメーター（例えば、Rheometer SR-2000,Rheometrics Inc.）のような市販レオメーターにより４０℃で測定すべきである。
【００６５】
図５は好ましいスキンケア組成物の一例の剪断応力 vs.粘度のグラフを示している。スキンケア組成物が４０℃において約３×１０４dyne/cm2以下の剪断応力で約１０５ポイズ以上の粘度を有しているとき、スキンケア組成物は貯蔵または輸送中に用品の内部へ移動する傾向が少なく、用品の身体接触表面に留まる傾向が高い。スキンケア組成物が４０℃において約１０６dyne/cm2以上の剪断応力で約１０２ポイズ以下の粘度を有しているとき、スキンケア組成物は着用者の皮膚へ移行する傾向が高い。したがって、スキンケア組成物は貯蔵または輸送中に用品の身体接触表面へ安定的に留まりやすいため、身体接触表面へ配するスキンケア組成物の初期量を減らせる。吸収性物品が着用者により着用されると、スキンケア組成物は貯蔵または輸送中の剪断応力よりも高い剪断応力に曝される。そのため、スキンケア組成物は流動しはじめて、有効量のスキンケア組成物が着用者の皮膚へ移行する。ここで“有効量のスキンケア組成物”という用語は、身体接触表面へ適用または移動（“配置”）されたときに、上記の望ましい皮膚効果をもたらす上で有効となる量の所定組成物に関する。
【００６６】
スキンケア組成物は、４０℃で約３００以下、好ましくは約１５０以下、更に好ましくは約１００以下の粘稠度も有している。ここで“粘稠度”とはスキンケア組成物の耐変形性を意味する。スキンケア組成物が４０℃で約３００以下の粘稠度を有しているとき、スキンケア組成物は吸収性物品の身体接触表面に留まる傾向が高い。粘稠度は４０℃においてＡＳＴＭ  Ｄ５で記載された針入度計により測定しうる。粘稠度を測定するために用いられる針入度計は、ＰＮＲ‐１０の名称でPetrolab Company,874 Albany-Shaker Road,Latham,ＮＹから供給されている。
【００６７】
身体接触表面上に配される組成物の有効量は、用いられる具体的なスキンケア組成物、スキンケア組成物が適用される身体接触表面の部分および／または製品形（例えば、おむつ、生理用ナプキンなど）にかなりの程度まで依存している。それにもかかわらず、吸収性物品の身体接触表面の少くとも一部へ配されるスキンケア組成物の最少量は、好ましくは約０．０５mg/in2（０．００７８mg/cm2）以上、更に好ましくは約０．１mg/in2（０．０１６mg/cm2）以上、更に一層好ましくは約０．５mg/in2（０．０７８mg/cm2）以上である。身体接触表面の少くとも一部へ配されるスキンケア組成物の最大量は、好ましくは約８０mg/in2（１２mg/cm2）以下、更に好ましくは約２５mg/in2（３．９mg/cm2）以下、更に一層好ましくは約５mg/in2（０．８mg/cm2）以下である。これらの範囲は説明のためだけにあり、当業者であれば、その組成物の性質が望ましい皮膚効果を発揮させる上でそこに配されねばならないレベルを決めて、このようなレベルが本開示を参照して日常的実験により確かめうることをわかるであろう。特に例１で記載されたようなスキンケア組成物が図１で示された生理用ナプキンの身体接触表面（即ち、本体部分２２のトップシート３８およびフラップ２４）へ適用されるとき、身体接触表面へ配されるスキンケア組成物の量は、好ましくは約０．０５mg/in2（０．００７８mg/cm2）〜約２５mg/in2（３．９mg/cm2）、更に好ましくは約０．１mg/in2（０．０１６mg/cm2）〜約１０mg/in2（１．５mg/cm2）、更に一層好ましくは約０．５mg/in2（０．０７８mg/cm2）〜約４mg/in2（０．６mg/cm2）である。
【００６８】
スキンケア組成物は（１）１種以上の皮膚軟化剤、（２）皮膚軟化剤を安定化させるための１種以上の定着剤、（３）１種以上のスキンケア活性成分、および（４）他の任意成分からなる。スキンケア組成物の各成分の種類、グレードおよび内容物は任意であるが、少くとも１種のスキンケア活性成分を含有したスキンケア組成物は４０℃において約３×１０４dyne/cm2以下の剪断応力で約１０５ポイズ以上の粘度、および約１０６dyne/cm2以上の剪断応力で約１０２ポイズ以下の粘度を満たす。特に、スキンケア組成物が皮膚軟化剤および定着剤を含んでいるとき、皮膚軟化剤および定着剤の量に関して選択された範囲は上記粘度範囲にする上で役立つ。即ち、スキンケア組成物は約４０〜約９０％の皮膚軟化剤を含む。好ましくは、スキンケア組成物は約５０〜約８５％、更に好ましくは約６０〜約８０％の皮膚軟化剤を含む。スキンケア組成物は約１０〜約６０％の定着剤を含む。好ましくは、スキンケア組成物は約１５〜約５０％、更に好ましくは約２０〜約４０％の定着剤を含む。
【００６９】
１．皮膚軟化剤
スキンケア組成物で１つの重要な成分は１種以上の皮膚軟化剤である。皮膚軟化剤は、皮膚を軟化、滑化、被覆、湿潤化、潤滑化または浄化する物質から選択される。一般的に、皮膚軟化剤は、皮膚を滑化、湿潤化および潤滑化するなど、これら目的のうちいくつかを同時に果たす。皮膚軟化剤は、好ましくは２０℃で粘弾性粘稠度を有している。しかしながら、皮膚軟化剤および他の成分（例えば、定着剤）の組合せのようなスキンケア組成物が前記のような粘度を満たすかぎり、これは本質的ではない。
【００７０】
皮膚軟化剤は実質的に水を含まない。実質的に水を含まないとは、水が皮膚軟化剤へ意図的に加えられないことを意味する。皮膚軟化剤への水の添加は、スキンケア組成物を製造または使用する上で不要である。しかしながら、環境湿度の結果として含有される、皮膚軟化剤中で少量または痕跡量程度の水であれば、有害な作用なしに許容しうる。典型的には、皮膚軟化剤は約５％以下の水、好ましくは約１％以下の水、最も好ましくは約０．５％以下の水を含有してもよい。
【００７１】
皮膚軟化剤は、汗、糞および／または月経分泌液が皮膚および／または用品のトップシートよりも皮膚軟化剤に対して大きな接触角を形成するほど疎水性であることが好ましい。疎水性皮膚軟化剤は皮膚および／または用品のトップシートに対する汗、糞および／または月経分泌液の湿潤性を減少させるため、着用者の皮膚へのべたつき感を減らす。
【００７２】
皮膚軟化剤には、石油ベース、脂肪酸エステルタイプ、アルキルエトキシレートタイプ、脂肪酸エステルエトキシレート、脂肪アルコールタイプ、ポリシロキサンタイプまたはそれらの混合物がある。
【００７３】
石油ベース皮膚軟化剤にはペトロラタムがある。ペトロラタムは１６以上のアルキル鎖長を有する脂肪族炭化水素の混合物であり、ゼリー様外観およびゼリー状手触りを本来有している。ペトロラタムは鉱油および微結晶ロウの混合物としても時々分類される。ここで鉱油とは、１６〜２４のアルキル鎖長を有する炭化水素の低粘性混合物を有したペトロラタムのフラクションに関する。ここで微結晶ロウとは、２５以上のアルキル鎖長を有する炭化水素の高粘性混合物を有したペトロラタムのフラクションに関する。皮膚軟化剤としてのペトロラタムは、そのゼリー状手触りのせいで皮膚の滑らかさをもたらす。しかも、皮膚軟化剤としてのペトロラタムは皮膚を覆うかまたは皮膚により吸収されて、皮膚に潤いをもたらす。
【００７４】
ペトロラタムは重脂肪族炭化水素および軽脂肪族炭化水素を含有している。重脂肪族炭化水素および軽脂肪族炭化水素は、ノルマル鎖および異性体双方を含めたペトロラタム中アルカンのアルキル鎖長により規定される。分子量および分子の直径が脂肪族炭化水素の流動性（即ち、粘性）および拡散速度を決めることから、ペトロラタムの軽脂肪族炭化水素はペトロラタムの重脂肪族炭化水素よりも速く移動しやすい。したがって、重脂肪族炭化水素はペトロラタム中で軽脂肪族炭化水素よりも多く存在することが好ましい。重脂肪族炭化水素および軽脂肪族炭化水素の量は重量（重量＝（分子の数）×（分子の分子量））で比較しうる。軽脂肪族炭化水素の減少はペトロラタムの移動を減少させる上で役立つ。しかしながら、重脂肪族炭化水素が多すぎると、スキンケア組成物をかなり流動しずらくさせる。そのため、重脂肪族炭化水素の量と軽脂肪族炭化水素の量とのバランスがはかられるべきである。ペトロラタムは、好ましくは、２３〜２６のアルキル鎖長を有する軽脂肪族炭化水素より多く、３３〜３６のアルキル鎖長を有する重脂肪族炭化水素を有している。この場合に、重脂肪族炭化水素対軽脂肪族炭化水素の比率は、好ましくは２．０：１．０〜１．０：１．０、更に好ましくは１．５：１．０〜１．０：１．０である。更に好ましくは、ペトロラタムは２０〜２６のアルキル鎖長を有する軽脂肪族炭化水素より多く、３０〜３６のアルキル鎖長を有する重脂肪族炭化水素を有している。この場合に、重脂肪族炭化水素対軽脂肪族炭化水素の比率は、好ましくは２．５：１．０〜１．０：１．０、更に好ましくは２．０：１．０〜１．０：１．０である。なお好ましくは、ペトロラタムは１７〜２６のアルキル鎖長を有する軽脂肪族炭化水素より多く、２７〜３６のアルキル鎖長を有する重脂肪族炭化水素を有している。この場合に、重脂肪族炭化水素対軽脂肪族炭化水素の比率は、好ましくは３．５：１．０〜１．５：１．０、更に好ましくは３．０：１．０〜１．０：１．０である。
【００７５】
適切な脂肪酸エステルには、Ｃ１２‐Ｃ２８脂肪酸、好ましくはＣ１６‐Ｃ２４飽和脂肪酸、および短鎖（Ｃ１‐Ｃ８、好ましくはＣ１‐Ｃ３）一価アルコールから誘導されるものがある。このようなエステルの代表例には、パルミチン酸メチル、ステアリン酸メチル、ラウリン酸イソプロピル、ミリスチン酸イソプロピル、パルミチン酸イソプロピル、パルミチン酸エチルヘキシルおよびそれらの混合物がある。適切な脂肪酸エステルは、長鎖脂肪アルコール（Ｃ１２‐Ｃ２８、好ましくはＣ１２‐Ｃ１６）および短鎖脂肪酸、例えば乳酸のエステル、例えば乳酸ラウリルおよび乳酸セチルから誘導してもよい。皮膚軟化剤としての脂肪酸エステルは皮膚の滑らかさをもたらす。しかも、皮膚軟化剤としての脂肪酸エステルは皮膚を覆って、皮膚に潤いを与える。
【００７６】
適切なアルキルエトキシレートには、約２〜約３０の平均エトキシル化度を有するＣ１２‐Ｃ２２脂肪アルコールエトキシレートがある。好ましくは、脂肪アルコールエトキシレートは、約２〜約２３範囲の平均エトキシル化度を有する、ラウリル、セチルおよびステアリルエトキシレートおよびそれらの混合物からなる群より選択される。このようなアルキルエトキシレートの代表例には、ラウレス‐３（３の平均エトキシル化度を有するラウリルエトキシレート）、ラウレス‐２３（２３の平均エトキシル化度を有するラウリルエトキシレート）、セテス‐１０（１０の平均エトキシル化度を有するセチルアルコールエトキシレート）およびステアレス‐１０（１０の平均エトキシル化度を有するステアリルアルコールエトキシレート）がある。皮膚軟化剤としてのこれらアルキルエトキシレートは、約１：１〜約１：５、好ましくは約１：２〜約１：４のアルキルエトキシレート皮膚軟化剤対ペトロラタム皮膚軟化剤の重量比で、皮膚軟化剤としてのペトロラタムと組み合わせて典型的に用いられる。
【００７７】
適切な脂肪アルコールにはＣ１２‐Ｃ２４脂肪アルコール、好ましくはＣ１６‐Ｃ２４脂肪アルコール、最も好ましくはＣ１８‐Ｃ２４アルコールがある。代表例としてセチルアルコール、ステアリルアルコール、ベヘニルアルコールおよびそれらの混合物がある。皮膚軟化剤としてのこれら脂肪アルコールは、約１：１〜約１：５、好ましくは約１：１〜約１：２の脂肪アルコール皮膚軟化剤対ペトロラタム皮膚軟化剤の重量比で、皮膚軟化剤としてのペトロラタムと組み合わせて典型的に用いられる。
【００７８】
他の適切なタイプの皮膚軟化剤には、時々代わりにシリコーン化合物またはシリコーンポリマー化合物と称されるポリシロキサン化合物がある。一般的に、適切なポリシロキサン化合物には、下記構造を有するモノマーシロキサン単位を有したものがある：
【化１】
0004698844.tif 000002
上記式中、Ｒ１およびＲ２は、各々独立したシロキサンモノマー単位において、各々独立して水素またはいずれかのアルキル、アリール、アルケニル、アルカリール、アラルキル、シクロアルキル、ハロゲン化炭化水素または他の基である。このような基は置換されていても、または非置換でもよい。いずれか特定のモノマー単位におけるＲ１およびＲ２基は、次の隣接するモノマー単位の対応官能基と異なっていてよい。加えて、ポリシロキサンは直鎖、分岐鎖でも、または環式構造を有してもよい。加えて、基Ｒ１およびＲ２は独立してシロキサン、ポリシロキサン、シランおよびポリシランのような他の含ケイ素官能基でもよいが、それらに限定されない。基Ｒ１およびＲ２は、例えばアルコール、カルボン酸、フェニルおよびアミン官能基を含めて様々な有機官能基を有してよい。
【００７９】
例示のアルキル基はメチル、エチル、プロピル、ブチル、ペンチル、ヘキシル、オクチル、デシル、オクタデシルなどである。例示のアルケニル基はビニル、アリルなどである。例示のアリール基はフェニル、ジフェニル、ナフチルなどである。例示のアリカリール基はトリル、キシリル、エチルフェニルなどである。例示のアラルキル基はベンジル、α‐フェニルエチル、β‐フェニルエチル、α‐フェニルブチルなどである。例示のシクロアルキル基はシクロブチル、シクロペンチル、シクロヘキシルなどである。例示のハロゲン化炭化水素基はクロロメチル、ブロモエチル、テトラフルオロエチル、フルオロエチル、トリフルオロエチル、トリフルオロトリル、ヘキサフルオロキシリルなどである。
【００８０】
ポリシロキサンが流動性であるか、または用品トップシートへの適用向けに流動性になしうるかぎり、有用なポリシロキサンの粘度はポリシロキサンの粘度が一般的に様々であるように広く変わる。これは５センチストークス（３７℃でガラス粘度計により測定したとき）の低い粘度から約２０，０００，０００センチストークスまでおよぶが、それに限定されない。好ましくは、ポリシロキサンは３７℃で約５〜約５０００センチストークス、更に好ましくは約５〜約２０００センチストークス、最も好ましくは約１００〜約１０００センチストークスの粘度を有する。自ら耐流動性である高粘度ポリシロキサンは、例えば、界面活性剤でポリシロキサンを乳化させるか、または例示のみの目的で挙げるとヘキサンのような溶媒の助けで溶液としてポリシロキサンを供するような方法により、用品のトップシートへ有効に付着させることができる。用品のトップシート上へポリシロキサン皮膚軟化剤を適用するための具体的方法は、後で詳細に記載されている。
【００８１】
好ましいポリシロキサン化合物は、参考のためここに組み込まれる、１９９１年１０月２２日付で発行されたＵＳ特許５，０５９，２８２（Ampulskiら）で開示されている。スキンケア組成物で皮膚軟化剤として使用上特に好ましいポリシロキサン化合物には、フェニル官能性ポリメチルシロキサン化合物（例えば、Dow Corning 556 Cosmetic-Grade Fluid：ポリフェニルメチルシロキサン）およびセチルまたはステアリル官能性ジメチコン、例えば各々Dow 2502およびDow 2503ポリシロキサン流体がある。フェニル官能またはアルキル基によるこのような置換に加えて、有効な置換はアミノ、カルボキシル、ヒドロキシル、エーテル、ポリエーテル、アルデヒド、ケトン、アミド、エステルおよびチオール基で行ってもよい。これらの有効な置換基の中では、フェニル、アミノ、アルキル、カルボキシルおよびヒドロキシル基からなる群が他よりも好ましい；フェニル官能基が最も好ましい。
【００８２】
ペトロラタム皮膚軟化剤、脂肪酸エステル皮膚軟化剤、脂肪酸エステルエトキシレート皮膚軟化剤、アルキルエトキシレート皮膚軟化剤、脂肪アルコール皮膚軟化剤およびポリシロキサン化合物皮膚軟化剤に加えて、皮膚軟化剤は少量（例えば、全皮膚軟化剤の約１０％以内）で他の慣用的皮膚軟化剤を含有してもよい。これら他の慣用的皮膚軟化剤には、プロピレングリコール、グリセリン、トリエチエングリコール、鯨ロウまたは他のロウ、脂肪鎖に１２〜２８炭素原子を有する脂肪酸および脂肪アルコールエーテル、例えばステアリン酸、プロポキシル化脂肪アルコール；Ｃ１２‐Ｃ２８脂肪酸のグリセリド、アセトグリセリドおよびエトキシル化グリセリド；多価アルコールの他の脂肪エステル；ラノリンおよびその誘導体がある。これら他の皮膚軟化剤は、スキンケア組成物の固体または半固体特性が維持されるように含有させるべきである。
【００８３】
スキンケア組成物中へ含有させうるの量は、加えられる具体的な皮膚軟化剤、望ましい効果、スキンケア組成物中の他成分などのファクターを含めて、様々なファクターに依存する。
【００８４】
２．定着剤
スキンケア組成物のもう１つの重要な成分は定着剤である。定着剤はスキンケア組成物の皮膚軟化剤を増粘化させうる。定着剤は皮膚軟化剤に可溶性でも、または皮膚軟化剤に不溶性でもよい。理論に拘束されることなく、定着剤はスキンケア組成物（例えば、皮膚軟化剤）で微細ネットワークを形成して、スキンケア組成物を増粘化させると考えられている。ここで“微細ネットワーク”とは、単位が皮膚軟化剤に可溶な定着剤の分子または皮膚軟化剤に不溶な定着剤の粒子であるネットワークに関する。特に、皮膚軟化剤に可溶な定着剤の“微細ネットワーク”は時々“液晶”と称されている。微細ネットワークにおいて、分子または粒子は分子または粒子間でフレキシブル／弱い接合を形成する。
【００８５】
定着剤は、期待される増粘化を付与する上で少量の定着剤で済むように、スキンケア組成物中に均質に分散させるべきである。スキンケア組成物中に含有される定着剤の量が少ないと、スキンケア組成物で期待される皮膚効果向けの活性剤の１種である皮膚軟化剤の量を増やせる。スキンケア組成物中に均質に分散された定着剤は、スキンケア組成物の質のバラツキも抑えられる。好ましくは、定着剤は皮膚軟化剤へ十分な溶解性または分散性を有している。ほとんどの場合および好ましい場合において、皮膚軟化剤は疎水性である。この場合に、皮膚軟化剤および定着剤が望ましい均質な混合物を形成しうるように、定着剤も疎水性にすべきである。定着剤および皮膚軟化剤は、それらの双方を溶融しながら、時には混合される。
【００８６】
皮膚軟化剤に可溶な定着剤は、Ｃ１４‐Ｃ２４脂肪アルコール、Ｃ１２‐Ｃ２４脂肪酸および２〜約３０の平均エトキシル化度を有するＣ１２‐Ｃ２４脂肪アルコールエトキシレートおよびそれらの混合物からなる群より選択される。好ましい定着剤には、Ｃ１６‐Ｃ２４脂肪アルコール、更に好ましくはＣ１８‐Ｃ２４脂肪アルコールがある。代表例として、ステアリルアルコール、アラキジルアルコール、ベヘニルアルコール、リグノセリルアルコールおよびそれらの混合物がある。ここで“ステアリルアルコール”とは、主成分としてＣ１８脂肪アルコールを含有した混合脂肪アルコールに関する。ここで“アラキジルアルコール”とは、主成分としてＣ２０脂肪アルコールを含有した混合脂肪アルコールに関する。ここで“ベヘニルアルコール”とは、主成分としてＣ２２脂肪アルコールを含有した混合脂肪アルコールに関する。ここで“リグノセリルアルコール”とは、主成分としてＣ２４脂肪アルコールを含有した混合脂肪アルコールに関する。好ましくは、定着剤はベヘニルアルコールからなる。定着剤としてのベヘニルアルコールは、好ましくは、主成分としてＣ２２脂肪アルコールおよび少量のＣ２４脂肪アルコールからなる。ベヘニルアルコールは、Ｃ１８脂肪アルコールおよびＣ２０脂肪アルコールも含んでよい。ベヘニルアルコール中に少量のＣ２４脂肪アルコールを含有させることにより、ベヘニルアルコールは皮膚軟化剤をより安定にして、スキンケア組成物の皮膚軟化剤をより効率的に定着させる。ベヘニルアルコールがＣ１８脂肪アルコール、Ｃ２０脂肪アルコール、Ｃ２２脂肪アルコールおよびＣ２４脂肪アルコールからなるとき、各成分の比率は好ましくは次のとおりである：約５０〜約９９．９９％のＣ２２脂肪アルコール、更に好ましくは約６３〜約８４．９％のＣ２２脂肪アルコール；約０．０１〜約３％のＣ２４脂肪アルコール、更に好ましくは約０．１〜約２％のＣ２４脂肪アルコール；０〜約２７％のＣ２０脂肪アルコール、更に好ましくは約１０〜約２０％のＣ２０脂肪アルコール；０〜約２０％のＣ１８脂肪アルコール、更に好ましくは約５〜約１５％のＣ１８脂肪アルコール。定着剤として好ましいベヘニルアルコールの１つは、Henkel Corp.Cospha,300 Brookside Avenue,Ambler,ＰＡ 19002市販のLanette 22である。
【００８７】
他の好ましい定着剤には、ステアリン酸、ベヘン酸およびそれらの混合物からなる群より選択されるＣ１６‐Ｃ２４脂肪酸、更に好ましくはＣ１８‐Ｃ２４脂肪酸がある。ベヘン酸が最も好ましい。更に他の好ましい定着剤には、約５〜約２０の平均エトキシル化度を有したＣ１６‐Ｃ２４脂肪アルコールエトキシレートがある。好ましくは、脂肪アルコール、脂肪酸および脂肪アルコールは直鎖であって、分岐異性体を含まない。
【００８８】
重要なのは、Ｃ１８‐Ｃ２４脂肪アルコールのようなこれらの好ましい定着剤は、スキンケア組成物で微細ネットワークを形成して、スキンケア組成物に皮膚軟化剤のみを含有させた場合よりもかなり濃厚なスキンケア組成物をもたらすと考えられることである。Ｃ１８‐Ｃ２４脂肪アルコールのようなこれらの好ましい定着剤は、皮膚軟化剤および定着剤の均質混合物を形成しうるほど可溶性である。
【００８９】
皮膚軟化剤に可溶な他タイプの定着剤も、単独で、または上記の脂肪アルコール、脂肪酸および脂肪アルコールエトキシレートと組み合わせて用いてよい。これら他タイプの定着剤の例には、ポリヒドロキシ脂肪酸エステル、ポリヒドロキシ脂肪酸アミドおよびそれらの混合物がある。好ましいエステルおよびアミドはポリヒドロキシ部分に３以上の遊離ヒドロキシ基を有しており、典型的には性質上ノニオン性である。スキンケア組成物が適用される用品トップシートを用いたもので生じうる皮膚感受性のために、これらのエステルおよびアミドも皮膚に対して比較的マイルドで無刺激性にすべきである。
【００９０】
適切なポリヒドロキシ脂肪酸エステルは下記式を有している：
【化２】
0004698844.tif 000003
上記式中ＲはＣ５‐Ｃ３１ヒドロカルビル基、好ましくは直鎖Ｃ７‐Ｃ１９アルキルまたはアルケニル、更に好ましくは直鎖Ｃ９‐Ｃ１７アルキルまたはアルケニル、最も好ましくは直鎖Ｃ１１‐Ｃ１７アルキルまたはアルケニル、またはそれらの混合物である；Ｙは少くとも２つの遊離ヒドロキシルを直接結合させたヒドロカルビル鎖を有するポリヒドロキシヒドロカルビル部分である；ｎは少くとも１である。適切なＹ基は、グリセロール、ペンタエリトリトールのようなポリオール類；ラフィノース、マルトデキストロース、ガラクトース、スクロース、グルコース、キシロース、フルクトース、マルトース、ラクトース、マンノースおよびエリトロースのような糖類；エリトリトール、キシリトール、マリトール、マンニトールおよびソルビトールのような糖アルコール類；ソルビタンのような糖アルコール類の無水物から誘導されうる。
【００９１】
１種の適切なポリヒドロキシ脂肪酸エステルは、あるソルビタンエステル、好ましくはＣ１６‐Ｃ２２飽和脂肪酸のソルビタンエステルからなる。それらが典型的に製造される手法のために、これらのソルビタンエステルは通常モノ、ジ、トリエステルなどの混合物からなる。適切なソルビタンエステルの代表例にはソルビタンパルミテート（例えば、ＳＰＡＮ４０）、ソルビタンステアレート（例えば、ＳＰＡＮ６０）およびソルビタンベヘネートがあり、これらソルビタンエステルのモノ、ジおよびトリエステルバージョンのうち１種以上、例えばソルビタンモノ、ジおよびトリパルミテート、ソルビタンモノ、ジおよびトリステアレート、ソルビタンモノ、ジおよびトリベヘネート並びに混合獣脂脂肪酸ソルビタンモノ、ジおよびトリエステルからなる。ソルビタンパルミテートとソルビタンステアレートとのように、異なるソルビタンエステルの混合物も用いてよい。特に好ましいソルビタンエステルは、典型的にはＳＰＡＮ６０のようなモノ、ジおよびトリエステル（＋一部テトラエステル）の混合物としてのソルビタンステアレート、およびLonza,Inc.から商品名GLYCOMUL-Sで販売されているソルビタンステアレートである。これらのソルビタンエステルは典型的にはモノ、ジおよびトリエステル＋一部テトラエステルの混合物からなるが、モノおよびジエステルが通常これらの混合物中で主要な種類である。
【００９２】
別な種の適切なポリヒドロキシ脂肪酸エステルは、あるグリセリルモノエステル、好ましくはＣ１６‐Ｃ２４飽和脂肪酸のグリセリルモノエステル、例えばグリセリルモノステアレート、グリセリルモノパルミテートおよびグリセリルモノベヘネートからなる。ソルビタンエステルと同様に、グリセリルモノエステル混合物も典型的には一部ジおよびトリエステルを含有している。しかしながら、このような混合物は有用なグリセリルモノエステル種を主に含有しているべきである。
【００９３】
もう１つの種の適切なポリヒドロキシ脂肪酸エステルは、あるスクロース脂肪酸エステル、好ましくはスクロースのＣ１２‐Ｃ２４飽和脂肪酸エステルからなる。スクロースモノエステルおよびジエステルが特に好ましく、スクロースモノおよびジステアレート、スクロースモノおよびジラウレートがある。
【００９４】
適切なポリヒドロキシ脂肪酸アミドは下記式を有している：
【化３】
0004698844.tif 000004
上記式中Ｒ１はＨ、Ｃ１‐Ｃ４ヒドロカルビル、２‐ヒドロキシエチル、２‐ヒドロキシプロピル、メトキシエチル、メトキシプロピルまたはそれらの混合物、好ましくはＣ１‐Ｃ４アルキル、メトキシエチルまたはメトキシプロピル、更に好ましくはＣ１またはＣ２アルキルまたはメトキシプロピル、最も好ましくはＣ１アルキル（即ち、メチル）またはメトキシプロピルである；Ｒ２はＣ５‐Ｃ３１ヒドロカルビル基、好ましくは直鎖Ｃ７‐Ｃ１９アルキルまたはアルケニル、更に好ましくは直鎖Ｃ９‐Ｃ１７アルキルまたはアルケニル、最も好ましくは直鎖Ｃ１１‐Ｃ１７アルキルまたはアルケニル、またはそれらの混合物である；Ｚは少くとも３つのヒドロキシルを直接結合させたヒドロカルビル直鎖を有するポリヒドロキシヒドロカルビル部分である。これらのポリヒドロキシ脂肪酸アミドおよびそれらの製法について開示した、（参考のためここに組み込まれる）１９９２年１２月２９日付で発行されたＵＳ特許５，１７４，９２７(Honsa)参照。
【００９５】
Ｚ部分は好ましくは還元アミノ化反応で還元糖から誘導され、最も好ましくはグリシチルである。適切な還元糖にはグルコース、フルクトース、マルトース、ラクトース、ガラクトース、マンノースおよびキシロースがある。高デキストロースコーンシロップ、高フルクトースコーンシロップおよび高マルトースコーンシロップ、並びに上記された個別の糖も利用しうる。これらのコーンシロップはＺ部分について糖成分の混合物をもたらす。
【００９６】
Ｚ部分は好ましくは‐ＣＨ２‐（ＣＨＯＨ）ｎ‐ＣＨ２ＯＨ、‐ＣＨ（ＣＨ２ＯＨ）‐〔（ＣＨＯＨ）ｎ−１〕‐ＣＨ２ＯＨ、‐ＣＨ２ＯＨ‐ＣＨ２‐（ＣＨＯＨ）２（ＣＨＯＲ３）（ＣＨＯＨ）‐ＣＨ２ＯＨからなる群より選択され、ここでｎは３〜５の整数であり、Ｒ３はＨまたは環式もしくは脂肪族単糖である。最も好ましいものは、ｎが４であるグリシチル、特に‐ＣＨ２‐（ＣＨＯＨ）４‐ＣＨ２ＯＨである。
【００９７】
上記式において、Ｒ１には例えばＮ‐メチル、Ｎ‐エチル、Ｎ‐プロピル、Ｎ‐イソプロピル、Ｎ‐ブチル、Ｎ‐２‐ヒドロキシエチル、Ｎ‐メトキシプロピルまたはＮ‐２‐ヒドロキシプロピルがある。Ｒ２は、例えばコカミド、ステアラミド、オレアミド、ラウラミド、ミリストアミド、カプリカミド、パルミトアミド、タローアミドなどをもたらすように選択される。Ｚ部分には１‐デオキシグルシチル、２‐デオキシフルクチチル、１‐デオキシマルチチル、１‐デオキシラクチチル、１‐デオキシガラクチチル、１‐デオキシマンニチル、１‐デオキシマルトトリオチチルなどがある。
【００９８】
最も好ましいポリヒドロキシ脂肪酸アミドは下記一般式を有している：
【化４】
0004698844.tif 000005
上記式中Ｒ１はメチルまたはメトキシプロピルである；Ｒ２はＣ１１‐Ｃ１７直鎖アルキルまたはアルケニル基である。これらにはＮ‐ラウリル‐Ｎ‐メチルグルカミド、Ｎ‐ラウリル‐Ｎ‐メトキシプロピルグルカミド、Ｎ‐ココイル‐Ｎ‐メチルグルカミド、Ｎ‐ココイル‐Ｎ‐メトキシプロピルグルカミド、Ｎ‐パルミチル‐Ｎ‐メトキシプロピルグルカミド、Ｎ‐タローイル‐Ｎ‐メチルグルカミドまたはＮ‐タローイル‐Ｎ‐メトキシプロピルグルカミドがある。
【００９９】
前記のように、一部の定着剤は皮膚軟化剤への溶解用に乳化剤を要する。これは、少くとも約７のＨＬＢ値を有するＮ‐アルキル‐Ｎ‐メトキシプロピルグルカミドのような、特にあるグルカミドの場合である。適切な乳化剤には、典型的には、約７以下のＨＬＢ値を有するものがある。この点では、約４．９以下のＨＬＢ値を有するソルビタンステアレートのような前記ソルビタンエステルが、ペトロラタムへこれらのグルカミド定着剤を溶解させる上で有用とわかった。他の適切な乳化剤には、ステアレス‐２（式ＣＨ３（ＣＨ２）１７（ＯＣＨ２ＣＨ２）ｎＯＨに相当するステアリルアルコールのポリエチレングリコールエーテル；ｎは２の平均値を有する）、ソルビタントリステアレート、イソソルビドラウレートおよびグリセリルモノステアレートがある。乳化剤は、実質的に均質な混合物が得られるように、皮膚軟化剤へ定着剤を溶解させるために十分な量で含有させることができる。例えば、通常単相混合物に溶融しないＮ‐ココイル‐Ｎ‐メチルグルカミドおよびペトロラタムの約１：１混合物は、乳化剤としてステアレス‐２およびソルビタントリステアレートの１：１混合物２０％の添加で単相混合物に溶融する。
【０１００】
単独でまたは上記の定着剤と組み合わせて定着剤として用いうる、皮膚軟化剤に可溶な他タイプの成分には、カルナウバロウ、蜜ロウ、カンデリラロウ、パラフィンロウ、微結晶ロウ、ヒマシロウ、セレシン、エスパルト、アワリキュリ(ouricuri)、リゾワックス(rezowax)、ポリエチレンロウおよび他の公知ロウのようなロウがある。好ましくは、ロウは微結晶ロウである。特に好ましい微結晶ロウの例は、Multiwax W-835、Witco Corporation,One American Lane,Greenwich,ＣＴ 06831-2559である。
【０１０１】
皮膚軟化剤に不溶な定着剤は粒状増粘剤である。ここで“粒状増粘剤”とは、小さな微細粒子の形をとる定着剤を意味する。粒状増粘剤は、その粒子構造のために、スキンケア組成物のすべすべ感または滑らか効果を高めることができる。例えば、ヒュームドシリカは“ボール”のような球体であるため、ベアリングとして作用して、剪断力が加えられたときに滑らか効果をもたらす。ベントナイトまたはヘクトライトは、容易に滑りだしてすべすべ感をもたらす複数の薄層からなる。平均直径または対応平均直径は約１００ミクロン以下、好ましくは約２０ミクロン以下、更に好ましくは約１０ミクロン以下である。粒子が球体とは異なる形状を有しているとき、非球体粒子の対応直径は非球体粒子と同様の容量を有する球体の直径で表わせる。対応直径はMicrotrac X-100の名称でHoneywell Inc.,Honeywell Plaza,Minneapolis,ＭＮから供給されているレーザー粒子分析器で測定しうる。
【０１０２】
粒状増粘剤は本質的に皮膚軟化剤に不溶性であるが、そこに分散して微細ネットワークを形成し、皮膚軟化剤向け固体構造をもたらす。粒状増粘剤は、シリカ、処理シリカ、ヒュームドシリカ、ポリメタクリレートポリマー、ポリメタクリレートおよびスチレンコポリマー、ケイ酸カルシウム、処理ケイ酸カルシウム、処理ベントナイト、処理ヘクトライトおよびそれらの混合物からなる群より選択される。ここで使用上好ましい粒状増粘剤はヒュームドシリカである。ここで使用上更に好ましいものは、表面処理ヒュームドシリカである。更に一層好ましいものは、ポリアルキルシロキサン処理ヒュームドシリカ、トリアルキルシラン化ヒュームドシリカ、ジアルキルジシラン化ヒュームドシリカおよびそれらの混合物からなる群より選択されるヒュームドシリカである。最も好ましいものは、ポリジメチルシロキサン処理ヒュームドシリカ、トリメチルシラン化ヒュームドシリカ、ジメチルジシラン化ヒュームドシリカおよびそれらの混合物からなる群より選択されるヒュームドシリカである。
【０１０３】
シリカは化学式ＳｉＯ２で表わされる二酸化ケイ素または無水ケイ酸としても知られている。ここで有用な様々な異なるタイプのシリカは、公知のヒュームドまたはアークドシリカ、沈降シリカ、シリカゲル、非晶質シリカ、シリカゾルおよびコロイドである。ヒュームドシリカは、アークドシリカとしても知られており、水素酸素フレームで四塩化ケイ素の気相加水分解により作られる。理論に拘束されることなく、燃焼プロセスが二酸化ケイ素分子を形成し、それが縮合して粒子を形成すると考えられる。粒子は一緒に衝突、結合および焼結する。このプロセスの結果は三次元分岐鎖集合物である。その集合物が約１７１０℃のシリカ融点以下に冷却されると、更に衝突が鎖の機械的からみあいをもたらして、凝集物を形成する。沈降シリカおよびシリカゲルは通常水溶液で調製される。非晶質シリカは通常その物質の天然微結晶形である。シリカゾルおよびコロイドは水溶液中における非晶質シリカの分散物である。
【０１０４】
ヒュームドシリカおよび処理ヒュームドシリカは好ましくは凝集物の平均粒径、即ち約０．１〜約１００ミクロン、好ましくは約１〜約５０ミクロン、更に好ましくは約１０〜約３０ミクロンの平均凝集物粒径を有している。凝集物は、約０．０１〜約１５ミクロン、好ましくは約０．０５〜約１０ミクロン、更に好ましくは約０．１〜約５ミクロン、最も好ましくは約０．２〜約０．３ミクロンの平均粒径、即ち平均凝集物粒径を有した集合物から構成される。
【０１０５】
ヒュームドシリカ凝集物は典型的には活性ヒドロキシル基を有している。特にスキンケア組成物中の皮膚軟化剤が疎水性であるとき、ヒドロキシル基を反応しにくくするように、これらのヒュームドシリカを処理することが望ましい。有用な処理法では、ヒュームドシリカを無極性有機化合物でコートして、活性ヒドロキシル基を反応しにくくさせる。処理用に好ましい有機化合物にはポリアルキルシロキサンがあり、ポリジメチルシロキサンが最も好ましい。ここで有用な市販ポリジメチルシロキサン処理ヒュームドシリカはCabot Corporation,Tuscola,ＩＬにより商品名CAB-O-SILＲ、またはDegussa AG,GermanyによりAerosil R972で販売されており、双方とも約１２０ｍ２／ｇの表面積および５０ｇ／Ｌの嵩密度を有している。別の有用な処理法では、ヒュームドシリカのヒドロキシル基をシラン化剤、例えばジメチルジクロロシランまたはヘキサメチルジシラザンと化学的に反応させる。これらの化学的に処理されたシリカでは、シリカの遊離ヒドロキシル基がシラン化剤の酸素‐ケイ素結合で置き換えられている。市販トリメチルシラン化ヒュームドシリカはCabot Corporation,Tuscola,ＩＬにより商品名CAB-O-SILＲ TS-530で販売されており、約２２０ｍ２／ｇの表面積および５０ｇ／Ｌの嵩密度を有している。市販ジメチルジシラン化ヒュームドシリカはCabot Corporation,Tuscola,ＩＬにより商品名CAB-O-SILＲ TS-610で販売されており、約１２０ｍ２／ｇの表面積および５０ｇ／Ｌの嵩密度を有している。
【０１０６】
ここで有用な粒状増粘剤は、ポリメタクリレートポリマー、ポリメタクリレートおよびスチレンコポリマーである。これらの物質は、液体組成物を吸収して液体で増粘化またはゲル化効果を発揮するために有用な膨潤性ポリマーである。ポリメタクリレートポリマーは、いずれかありふれた架橋剤で場合により架橋された、メタクリル酸エステル、好ましくはメチルまたはエチルエステルのホモポリマーである。ポリメタクリレートおよびスチレンコポリマーは、いずれかありふれた架橋剤で場合により架橋された、メタクリル酸エステル、好ましくはメチルまたはエチルエステルとスチレンとのコポリマーである。架橋剤は、最も典型的には２以上の不飽和官能基を有した物質である。架橋剤はポリマーまたはコポリマーのモノマー単位と反応して、ポリマー中に組み込まれ、２以上の個別ポリマー鎖または同一ポリマーの２以上のセクション間でリンクまたは共有結合を形成する。適切な架橋剤の非制限例には、メチレンビスアクリルアミド、ジアリルジアルキルアンモニウムハライド、多価アルコールのポリアルケニルポリエーテル、アリルアクリレート、ビニルオキシアルキルアクリレートおよび多官能性ビニリデンからなる群より選択されるものがある。ここで有用な架橋剤の具体例には、メチレンビスアクリルアミド、エチレングリコールジ（メタ）アクリレート、ジ（メタ）アクリルアミド、シアノメチルアクリレート、ビニルオキシエチルアクリレート、ビニルオキシエチルメタクリレート、アリルペンタエリトリトール、トリメチロールプロパンジアリルエーテル、アリルスクロース、ブタジエン、イソプレン、ジビニルベンゼン、ジビニルナフタレン、エチルビニルエーテル、メチルビニルエーテルおよびアリルアクリレートからなる群より選択されるものがある。他の架橋剤にはホルムアルデヒドおよびグリオキサールがある。特に有用な架橋ポリメタクリレートポリマーは、Dow Corning Corp.,Midland,Mich.により商品名PolytrapＲ6603で販売されている。
【０１０７】
処理ベントナイトおよび処理ヘクトライトもここで有用な粒状増粘剤である。ベントナイトはコロイドアルミニウムシリケートクレーである。ヘクトライトはナトリウム、マグネシウム、リチウム、ケイ素、酸素、水素およびフッ素を含有したクレーである。特にスキンケア組成物中の皮膚軟化剤が疎水性であるときにここで有用なものは、様々な有機化合物で処理してクレーの極性を下げたベントナイトおよびヘクトライトである。ここで“処理された”とは、これらの物質が有機化合物でコートされていることを意味する。処理ベントナイトの非制限例には、ステアラルコニウムヘクトライト；クォータニウム‐１８ベントナイト；クォータニウム‐１８ヘクトライト；ヒマシ油、ステアラルコニウムヘクトライトおよびプロピレンカーボネート；イソプロピルミリステート、ステアラルコニウムヘクトライトおよびプロピレンカーボネート；イソドデカン、クォータニウム‐１８ヘクトライトおよびプロピレンカーボネート；ラノリン油、イソプロピルパルミテート、ステアラルコニウムヘクトライト、プロピレンカーボネートおよびプロピルパラベン；プロピレングリコールジカプリレート／ジカプレート、ステアラルコニウムヘクトライトおよびプロピレンカーボネート；鉱油、クォータニウム‐１８ヘクトライトおよびプロピレンカーボネート；鉱油、クォータニウム‐１８ヘクトライトおよびＳＤアルコール４０；石油蒸留物、クォータニウム‐１８ヘクトライトおよびプロピレンカーボネート；Ｃ12-15アルキルベンゾエート、ステアラルコニウムヘクトライトおよびプロピレンカーボネート；シクロメチコン、クォータニウム‐１８ヘクトライトおよびＳＤアルコール４０；シクロメチコン、クォータニウム‐１８ヘクトライトおよびプロピレンカーボネート；およびそれらの混合物がある。
【０１０８】
ケイ酸カルシウムおよび処理ケイ酸カルシウムもここで有用な粒状増粘剤である。よくある形態のケイ酸カルシウムには、ＣａＳｉＯ３、ＣａＳｉＯ４およびＣａＳｉＯ５がある。これらの物質はケイ酸のカルシウム塩としても知られている。ケイ酸カルシウムは、物質をより疎水性にするために、様々な無極性有機化合物で処理することができる。有用なケイ酸カルシウムには次の市販物質がある：Hubersolb（Huber Corp.,Harve de Grace,Md.）、Micro-Cel C、Micro-Cel EおよびMicro-Cel T-38（Celite Corp.,Denver,Colo）。
【０１０９】
上記全粒状増粘剤のうちほとんどは、表面処理のおかげで、スキンケア組成物中の皮膚軟化剤に容易に分散させることができる。表面処理の代わりに、またはその処理と組合せて、一部の乳化剤が時には有用である。
スキンケア組成物中に含有させうる定着剤の量は様々なファクターに依存する。
【０１１０】
３．スキンケア活性成分
様々なスキンケア活性成分がスキンケア組成物中に配合しうる。これらのスキンケア活性剤は、好ましくはスキンケア効果を発揮する。これらの活性成分にはスキンケア剤、プロトン供与剤、酵素インヒビターまたはそれらの混合物があるが、それらに限定されない。本発明のスキンケア組成物は貯蔵または輸送中の移動の少なさのせいで配合されるスキンケア活性成分の初期量を減らしながら、使用時に皮膚へ有効量のスキンケア活性成分をデリバリーしうる。
【０１１１】
スキンケア剤は治療および／または皮膚防護効果をもたらすために加えうる。皮膚へデリバリーされるスキンケア組成物で有用な多数の物質の中で、安全で有効なスキンケア剤およびその混合物と思われるものは、ここで使用上論理的な物質であることがわかるであろう。このような物質には米国食品医薬局（ＦＤＡ）のTentative Final Monograph on Skin Protectant Drug Products for Over-the Counter Human Use(21 C.F.R.§347)で記載されているようなカテゴリーＩ活性剤があり、現在のところアラントイン、水酸化アルミニウムゲル、カラミン、カカオ脂、ジメチコン、タラ肝油（組合せ）、グリセリン、カオリン、ペトロラタム、ラノリン、鉱油、サメ肝油、白色ペトロラタム、タルク、局所用デンプン、酢酸亜鉛、炭酸亜鉛、酸化亜鉛などがある。他の現在有用な物質は米国食品医薬局（ＦＤＡ）のTentative Final Monograph on Skin Protectant Drug Products for Over-the Counter Human Use(21 C.F.R.§347)で記載されているようなカテゴリーIII活性剤であり、現在のところ生酵母細胞誘導体、アルジオキサ、酢酸アルミニウム、微孔質セルロース、コレカルシフェロール、コロイドオートミール、塩酸システイン、デクスパンテノール、ペルーバルサム油、タンパク質加水分解産物、ラセミメチオニン、重炭酸ナトリウム、ビタミンＡ、陽イオンおよび陰イオン交換樹脂の緩衝混合物、コーンスターチ、トロラミンなどがある。更に、他の可能な物質は米国食品医薬局（ＦＤＡ）のTentative Final Monograph on Skin Protectant Drug Products for Over-the Counter Human Use(21 C.F.R.§347)で記載されているようなカテゴリーII活性剤であり、次硝酸ビスマス、ホウ酸、塩化第二鉄、ポリビニルピロリドン‐酢酸ビニルコポリマー、イオウ、タンニン酸などがある。スキンケア剤はこれらの物質およびその混合物から選択してもよい。上記のように、使用向け物質は安全なものにすべきである。
【０１１２】
スキンケア組成物は約０．００１〜約５０％のスキンケア剤を含有してよい。スキンケア組成物中におけるスキンケア剤の濃度範囲は物質毎に異なる。下記表では、使用向けに好ましいスキンケア剤およびスキンケア組成物中におけるその濃度範囲を示している。
【０１１３】
0004698844.tif 000006
【０１１４】
スキンケア組成物はその範囲外で上記物質を含有してもよいことが理解されるべきである。例えば、スキンケア組成物が皮膚軟化剤として４０％のペトロラタムおよびスキンケア剤として５０％のペトロラタム（残り１０％は定着剤でもよい）からなるとき、スキンケア組成物の９０％はペトロラタムであってもよい。
【０１１５】
ＡおよびＤＲ軟膏、VaselineＲペトロラタムゼリー、DestineＲおむつかぶれ用軟膏およびDaily CareＲ軟膏、Gold BondＲ薬用ベビーパウダー、AquaphorＲ治療軟膏、Baby MagicＲベビーローション、Johnson’s Ultra SensitiveＲベビークリームのような、ＦＤＡモノグラフ記載スキンケア剤の多くは、市販スキンケア製品で現在利用されている。それらのスキンケア成分および／または製品は処理用品を作るために配合してもよい。
【０１１６】
プロトン供与活性剤も、着用者の皮膚を自然な酸性ｐＨに維持する上で役立つように加えてよい。例えば、このようなプロトン供与活性剤は体滲出液の高ｐＨ（即ち＞７）成分を中和する上で有効になりうる。化学的に適切なプロトン供与活性剤は、少くともやや酸性の条件下に皮膚ｐＨを維持する上で有効である。プロトン供与活性剤の非制限および例示リストには、モノマー有機酸、有機または無機酸の酸塩、ポリマー有機酸およびそれらの塩がある。緩衝剤としてよく知られている酸およびその塩のある組合せも、酸／塩組合せの水溶液が７未満のｐＨを有しているかぎり適切である。適切な酸または酸塩は約２．０〜約６．５で少くとも１つのｐＫａを有しているべきである。適切なプロトン供与活性剤でｐＫａ値の好ましい範囲は約２．５〜約５．０である。好ましいプロトン供与活性剤には、薬学上許容されるモノマーおよびポリマー有機酸がある。
【０１１７】
使用に適した例示モノマー有機酸には、クエン酸、リンゴ酸、アジピン酸、グルタル酸、乳酸、ソルビン酸、サリチル酸、酒石酸、マレイン酸、フマル酸、マロン酸、グリコール酸およびコハク酸がある。
【０１１８】
例示有機ポリマー酸には、酸性ビニルポリマー、例えばアクリル酸自体、メタクリル酸、α‐クロロアクリル酸、α‐シアノアクリル酸、β‐メチルアクリル酸（クロトン酸）、α‐フェニルアクリル酸、β‐アクリルオキシプロピオン酸、ソルビン酸、α‐クロロソルビン酸、アンゲリカ酸、ケイ皮酸、ｐ‐クロロケイ皮酸、β‐ステアリルアクリル酸、イタコン酸、シトラコン酸、メサコン酸、グルタコン酸、アコニチン酸、マレイン酸、フマル酸、トリカルボキシエチレンおよび無水マレイン酸のような不飽和カルボン酸および無水物モノマーのホモポリマー、不飽和モノマー酸と適切なコモノマーとのコポリマー、およびこのようなポリマーの部分中和塩；セルロース誘導体が少くとも部分的にプロトン化されたカルボキシメチルセルロース、リン酸セルロースおよび酸化セルロースのような酸性セルロース誘導体；陽イオン交換樹脂が少くとも部分的にプロトン化された陽イオン交換樹脂がある。
【０１１９】
例示無機酸塩には、リン酸一水素アルカリ金属、リン酸一水素および二水素アルカリ金属塩の混合物、ピロリン酸一水素アルカリ金属塩、ピロリン酸一水素および二水素アルカリ金属塩の混合物がある。
【０１２０】
着用者の皮膚付近の環境でプロトン供与活性剤に分解しうる物質も使用に適している。例えば、糞中のエステラーゼ酵素（例えば、糞リパーゼ）はあるエステルを加水分解して、プロトン供与活性剤を形成する。このタイプの適切なプロトン供与活性剤は下記式を有している：
【化５】
0004698844.tif 000007
上記式中Ｒ１、Ｒ２およびＲ３は独立して水素、１〜４の炭素原子を有するアルキル基、アルケニル基またはヒドロキシアルキル基である。このタイプの例示エステルはトリアセリンである。
【０１２１】
プロトン供与活性剤が皮膚を酸性ｐＨに維持する上で有効であるためには、プロトン供与活性剤はスキンケア組成物の少くとも０．０１％、典型的には少くとも約０．５％、好ましくは少くとも約３％のレベルで供されるべきである。このように適切なプロトン供与活性剤は、選択される具体的なプロトン供与活性剤に応じて、スキンケア組成物の成分として約０．０１〜約４０％のレベルで用いてよい。好ましくは、プロトン供与活性剤はスキンケア組成物の約０．５〜約２０％のレベルで用いられる。特に好ましい態様において、プロトン供与活性剤は約３〜約７％のレベルで供される。
【０１２２】
プロトン供与活性剤のこれらおよび他の特徴は、参考のためここに組み込まれる、１９９８年３月１２日付でMcOskerらの名で出願された“吸収性物品におけるプロトン供与活性剤”と題するＵＳ特許出願０９／０４１５０９で開示されている。
【０１２３】
酵素に対するインヒビターは、皮膚上で酵素活性を阻害して、炎症の発生を減少または防止するために、皮膚／尿、皮膚／糞、皮膚／月経分泌液界面で有効となるように加えられる。酵素活性のインヒビターは周知であり、典型的には競合的インヒビター（酵素上の活性部位で結合する際に基質と競合する）および非競合的インヒビター（活性部位以外の部位と結合して、酵素を不活化させる）として分類される。メタロプロテアーゼのような多くの酵素は、酵素上の金属基と結合する物質により阻害される。キレート化剤は、活性化のためにカルシウム、コバルト、銅、マグネシウム、マンガン、ナトリウム、カリウムまたは亜鉛のイオンのような金属イオンの存在を要する他の酵素の有効なインヒビターである。酵素はタンパク質であるため、特定酵素に対する抗体も有効な酵素インヒビターである。
【０１２４】
ここで記載された吸収性物品で有用な酵素インヒビターは、典型的には約５００μＭ以下、更に典型的には約２５０μＭ以下、更に一層典型的には約１００μＭ以下のＩＣ５０値を有している。ここで用いられているような“ＩＣ５０”という用語は、酵素による基質開裂速度を５０％減少させる物質（インヒビター）の阻害濃度（例えば、マイクロモル濃度、μＭ）を意味する。ＩＣ５０は式ＩＣ５０＝〔Ｉ〕／〔（ｖ／ｖｉ）−１〕に従い計算され、ここで〔Ｉ〕は試験されたインヒビター濃度であり、ｖはインヒビターの不在下における基質開裂速度であり、ｖｉはインヒビターの存在下における基質開裂速度である。酵素インヒビターのＩＣ５０は、１９９８年３月１２日付でRoeらの名で出願された“酵素インヒビターを含有したスキンケア組成物を有する使い捨て吸収性物品”と題するＵＳ特許出願０９／０４１２６６で記載されている糞酵素法または精製酵素法により測定される。ある酵素インヒビター（例えば、ＥＤＴＡ）は高いＩＣ５０値を有するが、ここで記載された吸収性物品にもなお有用であろうと理解される。分子量が調べられない物質の場合、このような物質は典型的にはスキンケア組成物中約５重量％以下の濃度で酵素活性を少くとも５０％減少させる。
【０１２５】
限定されることなく、植物、微生物および／または動物起源（人を含む）のあらゆる天然インヒビターおよび合成化学インヒビターを含めて、いかなるタイプの酵素インヒビターも着用者の皮膚へ移行しうるスキンケア組成物に用いてよい。酵素インヒビターは性質が親水性でもまたは疎水性でもよく、そのため水溶性でもまたは疎水性ビヒクルに可溶性でもよい。酵素インヒビターは好ましくは約０．００１〜約５０重量％、典型的には約０．０１〜約２５％、更に典型的には約０．１〜約１０％、最も典型的には約０．１〜約５％の濃度でスキンケア組成物中に存在する。用いられる酵素インヒビターの多様性のせいで、各インヒビターの有効濃度は当業者に知られているように別々に調べられねばならない。
【０１２６】
酵素インヒビターは単一吸収性物品に単独でも、またはインヒビターの“カクテル”のような酵素インヒビターの混合物として用いてもよい。更に、異なる酵素インヒビターが単一吸収性物品の異なる位置でスキンケア組成物に用いられてもよい。
【０１２７】
体滲出液中に存在する酵素の多様性のせいで、ある種類の酵素（例えば、プロテアーゼ）を阻害する下記のような物質は特定のもの（例えば、タンパク質およびペプチド）以外の基質を開裂する酵素も阻害しうることが当然ながら予想しうる。そのため、プロテアーゼを阻害するインヒビターはリパーゼおよび他のエステラーゼ、アミラーゼおよび／またはウレアーゼも阻害することがあり、その逆もある。
【０１２８】
体滲出液中で最もよくみられる酵素および／または補酵素のインヒビターが、スキンケア組成物で好ましい。そのため、酵素インヒビターはトリプシン、キモトリプシン、アミノペプチダーゼおよびエラスターゼのようなタンパク質酵素、リパーゼ、胆汁酸塩、アミラーゼおよび／またはウレアーゼのインヒビターであることが好ましい。
【０１２９】
括弧内に示されたタイプのプロテアーゼを阻害すると考えられる、使用に適したプロテアーゼの例示インヒビターには、大豆トリプシンインヒビターおよび他の植物由来トリプシンインヒビター、例えばライマメプロテアーゼインヒビター、コーンプロテアーゼインヒビターなど；Bowman-Birkインヒビター（セリン、トリプシン様プロテアーゼインヒビター）；膵臓トリプシンインヒビター、例えば牛膵臓塩基性トリプシンインヒビターおよび他の動物由来膵臓トリプシンインヒビター；卵白トリプシンインヒビター（セリン、トリプシン様プロテアーゼインヒビター）；ニワトリまたは七面鳥卵白からのようなオボムコイド含有オボインヒビター（トリプシンおよびキモトリプシンインヒビター）；キモスタチン（セリン、キモトリプシン様プロテアーゼインヒビター）；アプロチニン（セリンプロテアーゼインヒビター）；ロイペプチンおよびそのアナログ、例えばプロピオニル‐ロイペプチン、Ｎ‐α‐ｔ‐ＢＯＣ‐デアセチルロイペプチン（セリンおよびシステインプロテアーゼインヒビター）；ベスタチンおよびそのアナログ、例えばエピベスタチンおよびニトロベスタチン（アミノペプチダーゼメタロプロテアーゼインヒビター）；アマスタチンおよびそのアナログ、例えばエピアマスタチン（アミノペプチダーゼインヒビター）；アンチパイン（トリプシンインヒビター）；抗トロンビンIII（セリンプロテアーゼインヒビター）；ヒルジン（トロンビン様セリンプロテアーゼインヒビター）；シスタチン（卵白システインセリンプロテアーゼインヒビター）；Ｅ‐６４（トランス‐エポキシサクシニル‐Ｌ‐ロイシルアミド‐（４‐グアニジノ）ブタン）およびそのアナログ（システインプロテアーゼインヒビター）；α２‐マクログロブリン（ユニバーサルエンドプロテアーゼインヒビター）；α１‐抗トリプシン（トリプシンインヒビター）；ペプスタチンおよびそのアナログ、例えばアセチルペプスタチン、ペプスタチンＡ、Ｎｌｅ‐Ｓｔａ‐Ａｌａ‐Ｓｔａ（アスパルチルプロテアーゼインヒビター）；アプスタチン（アミノペプチダーゼＰインヒビター）；（２Ｒ）‐２‐メルカプトメチル‐４‐メチルペンタノイル‐ｂ‐（２‐ナフチル）‐Ａｌａ‐Ａｌａアミド（マトリックスメタロプロテアーゼインヒビター）；（２Ｒ）‐２‐メルカプトメチル‐４‐メチルペンタノイル‐Ｐｈｅ‐Ａｌａアミド（マトリックスメタロプロテアーゼインヒビター）；Ｎ‐アセチル‐Ｌｅｕ‐Ｌｅｕ‐メチオニナール（カルパインインヒビター）；Ｎ‐アセチル‐Ｌｅｕ‐Ｌｅｕ‐ノルロイシナール（カルパインインヒビター）；ｐ‐アミノベンゾイル‐Ｇｌｙ‐Ｐｒｏ‐Ｄ‐Ｌｅｕ‐Ｄ‐Ａｌａヒドロキサム酸（マトリックスメタロプロテアーゼインヒビター）；２（Ｒ）‐〔Ｎ‐（４‐メトキシフェニルスルホニル）‐Ｎ‐（３‐ピリジルメチル）アミノ〕‐３‐メチルブタノヒドロキサム酸（メタロプロテアーゼインヒビター）；Ｌ‐１‐クロロ‐３‐（４‐トシルアミド）‐７‐アミノ‐２‐ヘプタノンＨＣｌ（ＴＬＣＫ）、Ｌ‐１‐クロロ‐３‐（４‐トシルアミド）‐４‐フェニル‐２‐ブタノン（ＴＰＣＫ）、トラネキサム酸、グリチルリチン酸、１８‐β‐グリチルレチン酸、コロイドオートエキス、エル��ビン、亜鉛塩、ヨードアセテート、フェニルメチルスルホニルフルオリド、ホスホルアミドン、４‐（２‐アミノエチル）ベンゼンスルホニルフルオリドＨＣｌ、３，４‐ジクロロイソクマリン、クエルセチンなど、およびそれらの混合物があるが、それらに限定されない。
【０１３０】
キレート化剤も約０．１〜約２％の濃度でプロテアーゼおよびウレアーゼ双方のインヒビターとして有用であることがわかった。例示キレート化剤は、１９９２年２月２５日付でEnjolrasに発行されたＵＳ特許５，０９１，１９３に開示されたフィチン酸、ニトリロ三酢酸、ＥＤＴＡ、ジエチレントリアミン五酢酸、ヒドロキシエチルエチレンジアミン三酢酸および対応酸塩であり、そこでの開示は参考のためここに組み込まれる。
【０１３１】
好ましいプロテアーゼインヒビターの中には、必ずしも単一種のプロテアーゼに限定されない阻害活性を示す化合物がある。このような化合物には、ヘキサミジンおよびその塩；ペンタミジンおよびその塩；ベンザミジン、ｐ‐アミノベンザミジンおよびそれらの誘導体；グアニジノ安息香酸およびその誘導体、例えば１９９４年１２月２７日付でImakiらに発行されたＵＳ特許５，３７６，６５５に開示されたものがあるが、それらに限定されず、そこでの開示は参考のためここに組み込まれる。他の好ましいプロテアーゼインヒビターには、１９９８年３月１２日付でMclverらの名で出願された“酵素インヒビター”と題するＵＳ特許出願０９／０４１１９６で開示および製造されたグアニジノ安息香酸のポリマー誘導体があり、そこでの開示は参考のためここに組み込まれる。
【０１３２】
実施上好ましいプロテアーゼインヒビターは、大豆トリプシンインヒビター、アプロチニン、ヘキサミジン（例えば、ヘキサミジンジイセチオネート）、ｐ‐アミノベンザミジン、ロイペプチン、ペプスタチンＡ、キモトリプシンおよびグアニジノ安息香酸のポリマー誘導体（上記で参考のために組み込まれた“酵素インヒビター”と題するＵＳ特許出願０９／０４１１９６で開示および製造されている）である。特に好ましいプロテアーゼインヒビターは、大豆トリプシンインヒビター、ヘキサミジン、ｐ‐アミノベンザミジンおよびグアニジノ安息香酸の前記ポリマー誘導体である。
【０１３３】
ウレアーゼは、銀、銅などのような痕跡量の重金属イオンの存在下で阻害されることが知られている。そのため、痕跡量（０．００１％以下の少量）のこれら金属の塩がウレアーゼインヒビターとして有用である。ウレアーゼ活性の他の例示インヒビターにはアセチルヒドロキサム酸およびその誘導体、例えばシンナモイルヒドロキサム酸および他のアルキルヒドロキサム酸；ホスホルアミデートおよびその誘導体があるが、それらに限定されない。このような化合物は約２マイクロモル（μＭ）の濃度でウレアーゼの競合的インヒビターである。キレート化剤も約０．１〜約２％の濃度でプロテアーゼおよびウレアーゼ双方のインヒビターとして有用であることがわかった。例示キレート化剤は、上記で参考のために組み込まれたＵＳ特許５，０９１，１９３で開示された、フィチン酸、ニトリロ三酢酸、エチレンジアミン四酢酸（ＥＤＴＡ）、ジエチレントリアミン五酢酸、ヒドロキシエチルエチレンジアミン三酢酸および対応酸塩である。他のウレアーゼ阻害化合物は１９７６年２月３日付でKraskinに発行されたＵＳ特許３，９３５，８６２で開示されており、その開示は参考のためここに組み込まれ、それにはアミノ酸化合物、例えばヒドロキシアルキルアミノ酸、スルフヒドリルアミノ酸、アミノスルホン酸、アミノホスホン酸化合物およびエーテルアミノ酸、例えばメトキシエチルイミノ二酢酸、エチレンビス（オキシプロピルアミノ二酢酸）、エチレンビス（オキシエチルイミノ二酢酸）、アミノメチルホスホン酸（Ｎ，Ｎ‐二酢酸）など、およびアミノポリカルボン酸化合物、例えば酸および塩ジエチレントリアミン五酢酸（ＤＴＰＡ）、Ｎ‐ヒドロキシエチルエチレンジアミン三酢酸（ＨＥＤＴＡ）などがある。
【０１３４】
ウレアーゼの他の適切なインヒビターは１９９５年４月２５日付でPolakらに発行されたＵＳ特許５，４０９，９０３で開示されており、その開示は参考のためここに組み込まれる。この特許は、ウレアーゼの阻害用に、単独で、互いにまたはカルシウム化合物、酢酸カルシウム、塩化カルシウム、グルコン酸カルシウムおよび乳酸カルシウム並びにマグネシウム化合物、塩化マグネシウムおよびクエン酸マグネシウムと組み合わせて用いられる、二塩基性リン酸マグネシウム、ジアルデヒド多糖類およびゼオライトについて開示している。
【０１３５】
適切なリパーゼインヒビターには、カドミウム、コバルト、銅、鉄、モリブデン、銀、ランタン、スズおよび亜鉛のような金属の水溶性塩があるが、それらに限定されない。例示リパーゼ阻害化合物は参考のためここに組み込まれるＵＳ特許４，５５６，５６０で開示されており、塩化亜鉛、酢酸亜鉛、硝酸亜鉛三水物、硝酸亜鉛六水物、硫酸亜鉛、硫酸亜鉛七水物、硫酸亜鉛六水物、塩化鉄(II)、塩化鉄(II)四水物、塩化鉄(III)、塩化鉄(III)一水物、塩化鉄(III)六水物、乳酸鉄(II)、乳酸鉄(III)、リンゴ酸鉄(III)、硝酸鉄(II)、硝酸鉄(III)六水物、硝酸鉄(III)九水物、硫酸鉄(II)およびその水和物、硫酸鉄(III)およびその水和物、硫酸銅五水物、塩化スズ、塩化コバルトおよび塩化ランタン、約６〜約１２の炭素原子を有する飽和および不飽和モノカルボン酸双方の亜鉛塩、プロピレンオキシドおよびエチレンオキシドのブロックコポリマー（例えば、ＢＡＳＦ Corp.からPluronicＲおよびTetronicＲとして販売）、約２〜約２０の炭素を有する脂肪酸のグリセロールトリエステル、例えばトリアセチンなどがある。他の有用なリパーゼインヒビターは、参考のためここに組み込まれるＵＳ特許５，０９１，１９３で開示されており、脂肪アルコールのエステル、例えば１０〜２０の炭素原子を有する飽和または不飽和直鎖または分岐アルキルアセテート、ラクテートまたはプロピオネート；炭素原子２〜２２の脂肪酸の飽和または不飽和直鎖または分岐亜鉛塩、例えばプロピオン酸、イソ酪酸、カプロン酸、ウンデシレン酸などで形成されたもの；アミノ化アシル化酸の亜鉛塩、例えばプロピオニルシステイン、プロピオニルヒドロキシプロリンまたはカプロイルシステインなどがある。上記のようなリパーゼインヒビターは、約０．０１〜約１０％の濃度で有用であることがわかった。
【０１３６】
開示が参考のためここに組み込まれる、１９９７年１１月２６日付でPalumboらの名で出願された“皮膚あれ防止用組成物”と題する欧州特許出願９７１２０６９９．０で開示されている、更に他の有用なリパーゼインヒビターには、糞リパーゼ用の代替基質として作用するため競合的リパーゼインヒビターである、特別なエステル化合物がある。これらのエステルは下記式を有している：
【化６】
0004698844.tif 000008
上記式中Ｒ１および各Ｒ２は独立して、炭素原子２〜２２のアシル基、または炭素原子１〜２４のアルキル、アルケニル、アリールアルキル、ヒドロキシアルキル基、または水素であって、Ｒ１およびＲ２のうち少くとも１つはこのようなアシル基である；Ｒ３、Ｒ４、Ｒ５、Ｒ６、Ｒ７、Ｒ８およびＲ９は独立して炭素原子１〜２４のアルキル、アルケニル、アリールアルキル、ヒドロキシアルキル、アルコキシ基、ヒドロキシ基または水素である；Ｒ１０およびＲ１１は独立して炭素原子２〜２４のアルキル、アルケニル、アリールアルキル、ヒドロキシアルキル、アルコキシ基、ヒドロキシ基または水素である；ＡおよびＢは独立してＣ１‐Ｃ６直鎖または分岐アルキレン、アルケニレン、アルコキシレン、ヒドロキシアルキレン基である；ｘの値は独立して０〜１５である；ｙの値は独立して０または１であるが、但しｘ＝２およびｙ＝０のとき少くとも１つのＲ２は炭素原子１〜２４のアルキル、アルケニル、アリールアルキル、ヒドロキシアルキル基または水素である。
【０１３７】
リパーゼインヒビターの更に別な例は、参考のためここに組み込まれるＵＳ特許５，６４３，８７４で開示されたものであり、それにはテトラヒドロリプスタチンとしても知られる（２Ｓ，３Ｓ，５Ｓ）‐５‐〔（Ｓ）‐２‐ホルムアミド‐４‐メチルバレリルオキシ〕‐２‐ヘキシル‐３‐ヒドロキシヘキサデカン‐１，３‐酸ラクトン；リプスタチンとしても知られる（２Ｓ，３Ｓ，５Ｓ，７Ｚ，１０Ｚ）‐５‐〔（Ｓ）‐２‐ホルムアミド‐４‐メチルバレリルオキシ〕‐２‐ヘキシル‐３‐ヒドロキシ‐７，１０‐ヘキサデカジエン‐１，３‐酸ラクトン；ＦＬ‐３８６としても知られる１‐（トランス‐４‐イソブチルシクロヘキシル）‐２‐（フェニルスルホニルオキシ）エタノン；ＷＡＹ‐１２１８９８としても知られる４‐メチルピペリジン‐１‐カルボン酸４‐フェノキシフェニルエステル；ＢＡＹ‐Ｎ‐３１７６としても知られるＮ‐〔３‐クロロ‐４‐（トリフルオロメチル）フェニル〕‐Ｎ′‐〔３‐（トリフルオロメチル）フェニル〕尿素；バリラクトンとしても知られるＮ‐ホルミル‐Ｌ‐バリン‐（Ｓ）‐１‐〔〔（２Ｓ，３Ｓ）‐３‐ヘキシル‐４‐オキソ‐２‐オキセタニル〕メチル〕ヘキシルエステル；エステラスチンとしても知られる（２Ｓ，３Ｓ，５Ｓ，７Ｚ，１０Ｚ）‐５‐〔（Ｓ）‐２‐アセトアミド‐３‐カルバモイルプロピオニルオキシ〕‐２‐ヘキシル‐３‐ヒドロキシ‐７，１０‐ヘキサデカジエンラクトン；エベラクトンＡとしても知られる（３Ｓ，４Ｓ）‐４‐〔（１Ｓ，５Ｒ，７Ｓ，８Ｒ，９Ｒ，Ｅ）‐８‐ヒドロキシ‐１，３，５，７，９‐ペンタメチル‐６‐オキソ‐３‐ウンデセニル〕‐３‐メチル‐２‐オキセタノン；エベラクトンＢとしても知られる（３Ｓ，４Ｓ）‐３‐エチル‐４‐〔（１Ｓ，５Ｒ，７Ｓ，８Ｒ，９Ｒ，Ｅ）‐８‐ヒドロキシ‐１，３，５，７，９‐ペンタメチル‐６‐オキソ‐３‐ウンデセニル〕‐２‐オキセタノン；およびＲＨＣ８０２６７としても知られる１，６‐ジ〔Ｏ‐（カルバモイル）シクロヘキサノンオキシム〕ヘキサンがある。
【０１３８】
脂肪分解酵素用の補酵素であって、吸収性物品でリパーゼ酵素インヒビターとして有用な、胆汁酸塩の例示インヒビターには、１９９７年１１月２６日付でPalumboらの名で出願された“スキンケア組成物”と題する欧州特許出願９７１２０７００．６で開示されているカチオン性化合物があるが、それに限定されず、そこでの開示は参考のためここに組み込まれる。このような化合物は下記式のもの：
【化７】
0004698844.tif 000009
または両性化合物、好ましくは酸性源であり、両性化合物はその等電点で下記式を有している：
【化８】
0004698844.tif 000010
これらは外皮膚の脂肪分解性皮膚炎の治療、予防または減少用組成物の製造向けである；上記式中Ｒ１、Ｒ２、Ｒ３およびＲ４は独立してＣ１‐Ｃ２２アルキル、アルケニル、アリール、アリールアルキル、アミドアルキル、（ポリ）アルコキシ、ヒドロキシアルキルまたはアシル基であるか、あるいはＲ１、Ｒ２、Ｒ３およびＲ４のうち２以上の基は一緒になって１以上の環構造を形成している；Ｒ５、Ｒ６およびＡは独立してＣ１‐Ｃ２２アルキレン、アルケニレン、（ポリ）アルコキシレン、ヒドロキシアルキレン、アリールアルキレンまたはアミドアルキレン基である；Ｒ７およびＲ８は独立してＣ１‐Ｃ４アルキル、アルケニル、アルコキシ基またはヒドロキシ基もしくは水素である；Ｒ９およびＲ１０は独立してＣ１‐Ｃ２２アルキル、アルケニル、アリール、アリールアルキル、アミドアルキル、（ポリ）アルコキシ、ヒドロキシアルキルまたはアシル基であるか、あるいは基Ｒ１、Ｒ９およびＲ１０のうち２以上は一緒になって１以上の環構造を形成している；ＢＨはプロトン供与基である；ｘは２〜４である；およびＭ−は対イオンである。
【０１３９】
もう１つの例示される適切な胆汁酸塩インヒビターはコレスチラミンであって、C.Michael White et al.,”Cholestyramine Ointment to Treat Buttocks Rash and Anal Excoriation in an Infant”,The Annals of Pharmacotherapy 30:954-956,Sept.1996の文献で記載されている。
【０１４０】
ｐ‐グアニジノ安息香酸の誘導体、特にｐ‐グアニジノ安息香酸のエステルは、エステラーゼのインヒビターとして記載されている。このようなインヒビターは吸収性物品のスキンケア組成物で有用であり、１９９４年１２月２７日付でImakiらに発行されたＵＳ特許５，３７６，６５５で開示されており、その開示は参考のためここに組み込まれる。
【０１４１】
適切なアミラーゼインヒビターおよび／またはグルコシダーゼアミラーゼインヒビターには、参考のためここに組み込まれたＵＳ特許５，６４３，８７４で開示されたものがあり、アカルボースとしても知られるＯ‐４，６‐ジデオキシ‐４‐〔〔〔１Ｓ‐（１α，４α，５β，６α）〕‐４，５，６‐トリヒドロキシ‐３‐（ヒドロキシメチル）‐２‐シクロヘキセン‐１‐イル〕アミノ〕‐α‐Ｄ‐グルコピラノシル‐（１→４）‐Ｏ‐α‐Ｄ‐グルコピラノシル‐（１→４）‐Ｄ‐グルコース；ボグリボースとしても知られる２（Ｓ），３（Ｒ），４（Ｓ），５（Ｓ）‐テトラヒドロキシ‐Ｎ‐〔２‐ヒドロキシ‐１‐（ヒドロキシメチル）エチル〕‐５‐（ヒドロキシメチル）‐１（Ｓ）‐シクロヘキサミン；ミグリトールとしても知られる１，５‐ジデオキシ‐１，５‐〔（２‐ヒドロキシエチル）イミノ〕‐Ｄ‐グルシトール；エミグリテートとしても知られる１，５‐ジデオキシ‐１，５‐〔２‐（４‐エトキシカルボニルフェノキシ）エチルイミノ〕‐Ｄ‐グリシトール；ＭＤＬ‐２５６３７としても知られる２，６‐ジデオキシ‐２，６‐イミノ‐７‐（β‐Ｄ‐グルコピラノシル）‐Ｄ‐グリセロ‐Ｌ‐グロヘプチトール；カミグリボースとしても知られる１，５‐ジデオキシ‐１，５‐（６‐デオキシ‐１‐Ｏ‐メチル‐α‐Ｄ‐グルコピラノース‐６‐イルイミノ）‐Ｄ‐グルシトール；プラジミシンＱとしても知られる１，５，９，１１，１４‐ペンタヒドロキシ‐３‐メチル‐８，１３‐ジオキソ‐５，６，８，１３‐テトラヒドロベンゾ〔ａ〕ナフタセン‐２‐カルボン酸；アジポシンとしても知られる；およびサルボスタチンとしても知られる１，２‐ジデオキシ‐２‐〔２（Ｓ），３（Ｓ），４（Ｒ）‐トリヒドロキシ‐５‐（ヒドロキシメチル）‐５‐シクロヘキセン‐１（Ｓ）‐イルアミノ〕‐Ｌ‐グルコピラノースがある。他の適切なアミラーゼインヒビターには、テンダミスタット、トレスタチン、並びに植物、特に小麦、コメ、トウモロコシ、大麦および他の穀粒、豆および海藻から誘導されるものがある。
【０１４２】
酵素インヒビターのこれらおよび他の特徴は、１９９８年３月１２日付でPourkeらの名で出願された“吸収性物品におけるプロテアーゼインヒビター”と題するＵＳ特許出願０９／０４１２３２、および１９９８年３月１２日付でRoeらの名で出願された“酵素インヒビターを含有したスキンケア組成物を有する使い捨て吸収性物品”と題するＵＳ特許出願０９／０４１２６６で開示されており、それら双方とも参考のためここに組み込まれる。
【０１４３】
スキンケア活性成分は可溶性または不溶性である。不溶性スキンケア活性成分は分散剤でスキンケア組成物中に分散させて、スキンケア組成物の均質混合物を形成してもよい。不溶性スキンケア活性成分は分散剤で前分散溶媒中に前分散させることが好ましい。前分散溶媒には石油ベース、脂肪酸エステル、アルキルエトキシレート、脂肪酸エステルエトキシレート、脂肪アルコール、ポリシロキサンまたはそれらの混合物がある。更に、前分散溶媒は可溶性スキンケア活性成分でもよい。例示される好ましい分散剤は、ジエタノールアミノポリオキシエチレンオレイルエーテルホスフェート、ポリヒドロキシステアリン酸、ポリグリセリル‐６ポリリシノレエート、ネオペンチルグリコールジイソステアレート、プロピレングリコールジカプレートまたはそれらの混合物である。他の可能な分散剤は、イソエルコサンおよびポリイソブテンおよびクォータニウム‐１８、フェニルトリメチコンおよびクォータニウム‐１８ヘクトライトおよびトリエチルシトレート、イソヘキサデカンおよびクォータニウム‐１８ヘクトライトおよびプロピレンカーボネート、オクチルドデカノールおよびクォータニウム‐１８ヘクトライトおよびプロピレンカーボネート、鉱油およびクォータニウム‐１８ヘクトライトおよびプロピレンカーボネート、イソプロピルミリステートおよびステアラルコニウムヘクトライトおよびプロピレンカーボネート、シクロメチコンおよびクォータニウム‐１８およびＳＤＡ４０、ラノリン油およびイソプロピルパルミテートおよびステアラルコニウムヘクトライトおよびプロピレンカーボネートおよびプロピルパラベン、１‐エイコサノール、またはそれらの混合物である。
【０１４４】
４．他の任意成分
スキンケア組成物は他の任意成分を含んでもよい。これらの任意成分には、水、親水性界面活性剤、粘度調整剤、香料、皮膜形成剤、脱臭剤、不透明剤、溶媒などがある。セルロース誘導体、タンパク質およびレシチンのような安定剤も、スキンケア組成物の貯蔵寿命を高めるために加えてよい。親水性界面活性剤も、用品のトップシートから吸収内層への流体（例えば、尿、月経分泌液など）の速やかな移動を促すために加えてよい。このような親水性界面活性剤の詳細は、例えば、参考のためここに組み込まれた、１９９７年７月１日付でRoe,Bakes & Warnerに発行された“ローション入りトップシートを有するおむつ”ＵＳ特許５，６４３，５８８で開示されている。
【０１４５】
Ｃ．身体接触表面をスキンケア組成物で処理する
本発明に従いスキンケア組成物で処理された製品を製造するには、スキンケア組成物は吸収性物品の身体接触表面の少くとも一部へ適用される。粘性物質を均一に分配させる様々な適用法が用いうる。適切な方法には、印刷、スプレー、コーティング、ブラッシング、押出しまたはこれら適用技術の組合せがある。
【０１４６】
用品の身体接触表面へ適用されるスキンケア組成物の最少レベルは、皮膚効果を着用者へもたらすために有効な量である。適用されるスキンケア組成物のレベルは、スキンケア組成物で処理されない身体接触表面の表面積の相対量、スキンケア組成物で期待される皮膚効果などを含めた様々なファクターに依存する。スキンケア組成物の量は身体接触表面上で変えてもよい。例えば、身体接触表面の一部は、スキンケア組成物を有しない表面部分を含めて、身体接触表面の他部分よりも多いまたは少ない量のスキンケア組成物を有することができる。
【０１４７】
スキンケア組成物は、身体接触表面の全表面または選択的に身体接触表面の一部へ適用される。例えば、スキンケア組成物が吸収性物品のトップシートへ適用されるならば、吸収性物品のトップシートへスキンケア組成物を適用する手法は、スキンケア組成物がトップシートの体に面する部分へ主に分配されるものが好ましい。しかしながら、スキンケア組成物が比較的疎水性であるならば、スキンケア組成物は、流体を下層の吸収性芯へ移すトップシートの能力を確保しうるように、（トップシートの隙間のような）流路に配されないで、流路を塞がないことが好ましい。コーティングのパターンの例には、ストライプ、ドット、サークルなどがある。
【０１４８】
スキンケア組成物は組み立てに際して身体接触表面へどの箇所で適用してもよい。例えば、スキンケア組成物が最終吸収性物品の身体接触表面へ適用されてから、それが包装される。スキンケア組成物が身体接触表面へ適用されてから、それが他の原材料と組み合わされて最終吸収性物品を形成する。
【０１４９】
スキンケア組成物は、典型的にはその溶融物から用品へ適用される。スキンケア組成物は環境より有意に高い温度で溶融するため、それは用品の身体接触表面へ加熱コーティングとして通常適用される。温度は、主にスキンケア組成物の融点および他のファクター、例えば用品の製造プロセスに際する温度の低下を考慮して決められる。スキンケア組成物は、用品へ適用される前に、多くは５０〜１００℃、更に多くは６０〜９０℃範囲の温度に加熱される。溶融されたスキンケア組成物が用品へ適用されると、身体接触表面の表面で固化コーティングまたは皮膜を形成するように冷却および固化される。好ましくは、適用プロセスはスキンケア組成物の冷却／セットアップに役立つように考えられる。身体接触表面へスキンケア組成物を適用する例は、例えば、参考のためここに組み込まれた、１９９７年７月１日付でRoe,Bakes & Warnerに発行された“ローション入りトップシートを有するおむつ”ＵＳ特許５，６４３，５８８で記載されている。
【０１５０】
本発明による処理用品の製造の具体的説明
下記例は、本発明の範囲内に属する好ましい態様について更に記載および説明している。例は説明目的のみで示されており、本発明の制限とみなすべきではなく、その多くのバリエーションがその精神および範囲から逸脱せずに可能である。
【０１５１】
例１
Ａ．スキンケア組成物の製造
無水スキンケア組成物（スキンケア組成物Ａ）を、次の溶融成分を一緒に混ぜることで調製する：Super White ProtopetＲの名でWitco Corp.により作られたペトロラタム、およびLanette 22の名でHenkel Corp.により作られたベヘニルアルコール。Super White ProtopetＲはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は混合直鎖Ｃ１８‐Ｃ２４一級アルコールである。Lanette 22は約７０％のＣ２２脂肪アルコール、約２０％のＣ２０アルコール、約９％のＣ１８アルコールおよび約１％のＣ２４脂肪アルコールを含有している。これら成分の重量％は下記表Ｉで示されている：
0004698844.tif 000011
【０１５２】
Ｂ．ホットメルト印刷によるスキンケア組成物処理用品の製造
スキンケア組成物Ａを加熱タンク中へ入れて９０℃の温度で操作する。次いでその組成物を、付着レベル＝４g/m2で、Procter & Gamble Far East,Inc.により製造されたWhisper Slim Wing Regular LongのDRI-WEAVEトップシートの全面へ（Meltex EP45ホットメルト接着アプリケーターヘッドを用いて、９０℃の温度で操作して）コンタクトアプリケーターで適用する。
【０１５３】
例２
Ａ．スキンケア組成物の製造
無水スキンケア組成物（スキンケア組成物Ｂ）を、次の溶融成分を一緒に混ぜることで調製する：ProtopetＲ1Sの名でWitco Corp.により作られたペトロラタム、およびLanette 22の名でHenkel Corp.により作られたベヘニルアルコール。ProtopetＲ1Sはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。これら成分の重量％は下記表IIで示されている：
0004698844.tif 000012
【０１５４】
Ｂ．ホットメルトスプレーによるスキンケア組成物処理用品の製造
スキンケア組成物Ｂを加熱タンク中へ入れて９０℃の温度で操作する。次いでその組成物を、付着レベル＝２g/m2で、４０ｍｍ幅（横方向）および２００ｍｍ長さ（縦方向）の一対のストライプで、Procter & Gamble Far East,Inc.により製造されたWhisper Slim Wing Regular LongのDRI-WEAVEトップシートへ（Dynatec E84B1758スプレーヘッドを用いて、９０℃の温度および１６ｋＰａの噴霧圧力で操作して）スプレーする。
【０１５５】
例３
Ａ．スキンケア組成物の製造
無水スキンケア組成物（スキンケア組成物Ｃ）を、次の溶融成分を一緒に混ぜることで調製する：Super White ProtopetＲの名でWitco Corp.により作られたペトロラタム、Lanette 22の名でHenkel Corp.により作られたベヘニルアルコール、およびBrij762の名でＩＣＩ Americaにより作られたSteareth-2。Super White ProtopetＲはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。Brij762は２の平均エトキシル化度を有するＣ１８直鎖アルコールエトキシレートである。これら成分の重量％は下記表IIIで示されている：
0004698844.tif 000013
【０１５６】
Ｂ．ホットメルトスプレーによるスキンケア組成物処理用品の製造
スキンケア組成物Ｃを加熱タンク中へ入れて９０℃の温度で操作する。次いでその組成物を、付着レベル＝４g/m2で、Procter & Gamble Far East,Inc.により製造されたWhisper Slim Wing Regular LongのDRI-WEAVEトップシートの全面へ（Dynatec E84B1758スプレーヘッドを用いて、８０℃の温度および１６ｋＰａの噴霧圧力で操作して）スプレーする。
【０１５７】
例４
Ａ．スキンケア組成物の製造
無水スキンケア組成物（スキンケア組成物Ｄ）を、次の溶融成分を一緒に混ぜることで調製する：ProtopetＲ1Sの名でWitco Corp.により作られたペトロラタム、MultiwaxＲW-835の名でWitco Corp.により作られた微結晶ロウ、およびCO1895の名でProcter & Gamble Companyにより作られたステアリルアルコール。ProtopetＲ1Sはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。MultiwaxＲW-835は、ASTM D-1321で測定すると２５℃で６０〜８０の粘稠度を有する微結晶ロウである。CO1895は直鎖Ｃ１８一級アルコールである。これら成分の重量％は下記表IVで示されている：
0004698844.tif 000014
【０１５８】
Ｂ．ホットメルトスプレーによるスキンケア組成物処理用品の製造
スキンケア組成物Ｄを加熱タンク中へ入れて９０℃の温度で操作する。次いでその組成物を、付着レベル＝４g/m2で、４０ｍｍ幅（横方向）および２００ｍｍ長さ（縦方向）の一対のストライプで、Procter & Gamble Far East,Inc.により製造されたWhisper Slim Wing Regular LongのDRI-WEAVEトップシートへ（Dynatec E84B1758スプレーヘッドを用いて、９０℃の温度および１６ｋＰａの噴霧圧力で操作して）スプレーする。
【０１５９】
例５
Ａ．スキンケア組成物の製造
無水スキンケア組成物（スキンケア組成物Ｅ）を、次の溶融成分を一緒に混ぜることで調製する：ProtopetＲ1Sの名でWitco Corp.により作られたペトロラタム、Performalene 400Ｒの名でWitco Corp.により作られたポリエチレンロウ、およびCO1895の名でProcter & Gamble Companyにより作られたステアリルアルコール。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Performalene 400Ｒは、４００の平均分子量を有したポリエチレンロウである。CO1895は直鎖Ｃ１８一級アルコールである。これら成分の重量％は下記表Ｖで示されている：
0004698844.tif 000015
【０１６０】
Ｂ．ホットメルトスプレーによるスキンケア組成物処理用品の製造
スキンケア組成物Ｅを加熱タンク中へ入れて９０℃の温度で操作する。次いでその組成物を、付着レベル＝４g/m2で、Procter & Gamble Far East,Inc.により製造されたWhisper Slim Wing Regular LongのDRI-WEAVEトップシートの全面へ（Meltex EP45ホットメルト接着アプリケーターヘッドを用いて、９０℃の温度で操作して）コンタクトアプリケーターで適用する。
【０１６１】
例６
Ａ．スキンケア組成物の製造
無水スキンケア組成物（スキンケア組成物Ｆ）を、Aerosil R972の名でDegussa AGにより作られたヒュームドシリカを次の溶融成分と混ぜることで調製する：Super White ProtopetＲの名でWitco Corp.により作られたペトロラタム、およびLanette 22の名でHenkel Corp.により作られたベヘニルアルコール。これらを高速ブレードミキサー（Tokusyu Kika TK Robo Mics、５０００ｒｐｍで操作）によりミックスする。Super White ProtopetＲはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。Aerosil R972はジメチルシリコーンで表面処理されたヒュームドシリカであって、１μｍ未満の平均径を有している。これら成分の重量％は下記表VIで示されている：
0004698844.tif 000016
【０１６２】
Ｂ．ホットメルト印刷によるスキンケア組成物処理用品の製造
スキンケア組成物Ｆを加熱タンク中へ入れて９０℃の温度で操作する。次いでその組成物を、付着レベル＝４g/m2で、Procter & Gamble Far East,Inc.により製造されたWhisper Slim Wing Regular LongのDRI-WEAVEトップシートの全面へ（Meltex EP45ホットメルト接着アプリケーターヘッドを用いて、９０℃の温度で操作して）コンタクトアプリケーターで適用する。
【０１６３】
例７
Ａ．スキンケア組成物の製造
無水スキンケア組成物（スキンケア組成物Ｇ）を、Bentone 38の名でRheox Inc.により作られたベントナイトクレーを次の溶融成分と混ぜることで調製する：ProtopetＲ1Sの名でWitco Corp.により作られたペトロラタム、およびLanette 22の名でHenkel Corp.により作られたベヘニルアルコール。これらを高速ブレードミキサー（Tokusyu Kika TK Robo Mics、５０００ｒｐｍで操作）によりミックスする。ProtopetＲ1Sはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。Bentone 38はアンモニウム塩で表面処理されたベントナイトクレーであって、５μｍ未満の平均径を有している。これら成分の重量％は下記表VIIで示されている：
0004698844.tif 000017
【０１６４】
Ｂ．ホットメルト印刷によるスキンケア組成物処理用品の製造
スキンケア組成物Ｇを加熱タンク中へ入れて９０℃の温度で操作する。次いでその組成物を、付着レベル＝４g/m2で、Procter & Gamble Far East,Inc.により製造されたWhisper Slim Wing Regular LongのDRI-WEAVEトップシートの全面へ（Meltex EP45ホットメルト接着アプリケーターヘッドを用いて、９０℃の温度で操作して）コンタクトアプリケーターで適用する。
【０１６５】
例８
Ａ．スキンケア組成物の製造
無水スキンケア組成物（スキンケア組成物Ｈ）を、USP-1の名でZinc Corporation of Americaにより作られた酸化亜鉛を、酸化亜鉛用の前分散溶媒としてKaydolの名でShell Co.により作られた鉱油、酸化亜鉛用の分散剤としてHexaglyn PR15の名でNikko Chemicals Co.Ltd.により作られたポリグリセリル‐６ポリリシノレエートおよび次の溶融成分と混ぜることで調製する：Super White ProtopetＲの名でWitco Corp.により作られたペトロラタム、およびLanette 22の名でHenkel Corp.により作られたベヘニルアルコール。これらを高速ブレードミキサー（Tokusyu Kika TK Robo Mics、５０００ｒｐｍで操作）により９０℃でミックスする。Super White ProtopetＲはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。USP-1は約０．１〜１．０μｍの平均粒径を有した酸化亜鉛である。これら成分の重量％は下記表VIIIで示されている：
0004698844.tif 000018
【０１６６】
Ｂ．ホットメルト印刷によるスキンケア組成物処理用品の製造
スキンケア組成物Ｈを加熱タンク中へ入れて９０℃の温度で操作する。次いでその組成物を、付着レベル＝４g/m2で、Procter & Gamble Far East,Inc.により製造されたWhisper Slim Wing Regular LongのDRI-WEAVEトップシートの全面へ（Meltex EP45ホットメルト接着アプリケーターヘッドを用いて、９０℃の温度で操作して）コンタクトアプリケーターで適用する。
【０１６７】
例９
Ａ．スキンケア組成物の製造
無水スキンケア組成物（スキンケア組成物Ｉ）を、USP-1の名でZinc Corporation of Americaにより作られた酸化亜鉛を、酸化亜鉛用の前分散溶媒としてKaydolの名でShell Co.により作られた鉱油、酸化亜鉛用の分散剤としてCrodafos N3Nの名でCroda Inc.により作られたジエタノールアミンポリオキシエチレンオレイルエーテルホスフェートおよび次の溶融成分と混ぜることで調製する：ProtopetＲ1Sの名でWitco Corp.により作られたペトロラタム、およびLanette 22の名でHenkel Corp.により作られたベヘニルアルコール。これらを高速ブレードミキサー（Tokusyu Kika TK Robo Mics、５０００ｒｐｍで操作）により９０℃でミックスする。ProtopetＲ1Sはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。USP-1は約０．１〜１．０μｍの平均粒径を有した酸化亜鉛である。これら成分の重量％は下記表IXで示されている：
0004698844.tif 000019
【０１６８】
Ｂ．ホットメルト印刷によるスキンケア組成物処理用品の製造
スキンケア組成物Ｉを加熱タンク中へ入れて９０℃の温度で操作する。次いでその組成物を、付着レベル＝３g/m2で、Procter & Gamble Far East,Inc.により製造されたWhisper Slim Wing Regular LongのDRI-WEAVEトップシートの全面へ（Meltex EP45ホットメルト接着アプリケーターヘッドを用いて、９０℃の温度で操作して）コンタクトアプリケーターで適用する。
【０１６９】
例１０
Ａ．スキンケア組成物の製造
無水スキンケア組成物（スキンケア組成物Ｊ）を、USP-1の名でZinc Corporation of Americaにより作られた酸化亜鉛を、酸化亜鉛用の前分散溶媒としてKaydolの名でShell Co.により作られた鉱油、酸化亜鉛用の分散剤としてArlacel P100の名でＩＣＩ Inc.により作られたポリヒドロキシステアリン酸および次の溶融成分と混ぜることで調製する：Super White ProtopetＲの名でWitco Corp.により作られたペトロラタム、Lanette 22の名でHenkel Corp.により作られたベヘニルアルコール、およびBrij762の名でＩＣＩ Americaにより作られたSteareth-2。これらを高速ブレードミキサー（Tokusyu Kika TK Robo Mics、５０００ｒｐｍで操作）により９０℃でミックスする。Super White ProtopetＲはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。Brij762は２の平均エトキシル化度を有するＣ１８直鎖アルコールエトキシレートである。USP-1は約０．１〜１．０μｍの平均粒径を有した酸化亜鉛である。これら成分の重量％は下記表Ｘで示されている：
0004698844.tif 000020
【０１７０】
Ｂ．ホットメルトスプレーによるスキンケア組成物処理用品の製造
スキンケア組成物Ｊを加熱タンク中へ入れて９０℃の温度で操作する。次いでその組成物を、付着レベル＝５g/m2で、Procter & Gamble Far East,Inc.により製造されたWhisper Slim Wing Regular LongのDRI-WEAVEトップシートの全面へ（Dynatec E84B1758スプレーヘッドを用いて、８０℃の温度および１６ｋＰａの噴霧圧力で操作して）スプレーする。
【０１７１】
例１１
Ａ．スキンケア組成物の製造
無水スキンケア組成物（スキンケア組成物Ｋ）を、USP-1の名でZinc Corporation of Americaにより作られた酸化亜鉛を、酸化亜鉛用の前分散溶媒としてKaydolの名でShell Co.により作られた鉱油、酸化亜鉛用の分散剤としてCaptex 100の名でAbitec Performance Productsにより作られたプロピレングリコールジカプレートおよび次の溶融成分と混ぜることで調製する：ProtopetＲ1Sの名でWitco Corp.により作られたペトロラタム、Lanette 22の名でHenkel Corp.により作られたベヘニルアルコール、およびMultiwaxＲW-835の名でWitco Corp.により作られた微結晶ロウ。これらを高速ブレードミキサー（Tokusyu Kika TK Robo Mics、５０００ｒｐｍで操作）により９０℃でミックスする。ProtopetＲ1Sはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。Lanette 22は約７０％のＣ２２脂肪アルコール、約２０％のＣ２０アルコール、約９％のＣ１８アルコールおよび約１％のＣ２４脂肪アルコールを含有している。MultiwaxＲW-835は、ASTM D-1321で測定すると２５℃で６０〜８０の粘稠度を有する微結晶ロウである。USP-1は約０．１〜１．０μｍの平均粒径を有した酸化亜鉛である。これら成分の重量％は下記表XIで示されている：
0004698844.tif 000021
【０１７２】
Ｂ．ホットメルトスプレーによるスキンケア組成物処理用品の製造
スキンケア組成物Ｋを加熱タンク中へ入れて９０℃の温度で操作する。次いでその組成物を、付着レベル＝４g/m2で、４０ｍｍ幅（横方向）および２００ｍｍ長さ（縦方向）の一対のストライプで、Procter & Gamble Far East,Inc.により製造されたWhisper Slim Wing Regular LongのDRI-WEAVEトップシートへ（Dynatec E84B1758スプレーヘッドを用いて、９０℃の温度および１６ｋＰａの噴霧圧力で操作して）スプレーする。
【０１７３】
例１２
Ａ．スキンケア組成物の製造
無水スキンケア組成物（スキンケア組成物Ｌ）を、USP-1の名でZinc Corporation of Americaにより作られた酸化亜鉛を、酸化亜鉛用の前分散溶媒としてKaydolの名でShell Co.により作られた鉱油、酸化亜鉛用の分散剤としてCaptex 100の名でAbitec Performance Productsにより作られたプロピレングリコールジカプレートおよび次の溶融成分と混ぜることで調製する：Super White ProtopetＲの名でWitco Corp.により作られたペトロラタム、Lanette 22の名でHenkel Corp.により作られたベヘニルアルコール、CO1895の名でProcter & Gamble Companyにより作られたステアリルアルコール、およびMultiwaxＲW-835の名でWitco Corp.により作られた微結晶ロウ。これらを高速ブレードミキサー（Tokusyu Kika TK Robo Mics、５０００ｒｐｍで操作）により９０℃でミックスする。Super White ProtopetＲはペトロラタムである。２７〜３６のアルキル鎖長を有する重脂肪族炭化水素対１７〜２６のアルキル鎖長を有する軽炭化水素の比率は２．３：１．０である。３０〜３６のアルキル鎖長を有する重脂肪族炭化水素対２０〜２６のアルキル鎖長を有する軽脂肪族炭化水素の比率は１．７：１．０である。３３〜３６のアルキル鎖長を有する重脂肪族炭化水素対２３〜２６のアルキル鎖長を有する軽脂肪族炭化水素の比率は１．３：１．０である。CO1895は直鎖Ｃ１８一級アルコールである。MultiwaxＲW-835は、ASTM D-1321で測定すると２５℃で６０〜８０の粘稠度を有する微結晶ロウである。USP-1は約０．１〜１．０μｍの平均粒径を有した酸化亜鉛である。これら成分の重量％は下記表XIIで示されている：
0004698844.tif 000022
【０１７４】
Ｂ．ホットメルト印刷によるスキンケア組成物処理用品の製造
スキンケア組成物Ｌを加熱タンク中へ入れて９０℃の温度で操作する。次いでその組成物を、付着レベル＝６g/m2で、Procter & Gamble Far East,Inc.により製造されたWhisper Slim Wing Regular LongのDRI-WEAVEトップシートの全面へ（Meltex EP45ホットメルト接着アプリケーターヘッドを用いて、９０℃の温度で操作して）コンタクトアプリケーターで適用する。
【０１７５】
ここで特定されているすべての制限および範囲には、特定された制限および範囲内に属するすべての狭い方の範囲、制限および量も含んでおり、このような狭い方の範囲および制限はたとえそれらの範囲および制限が別に掲載されていないとしても請求の範囲で記載されうることも理解されるべきである。
本発明の具体的態様が説明および記載されたきたが、様々な他の変更および修正が本発明の精神および範囲から逸脱せずに行いうることは当業者に明らかであろう。
【図面の簡単な説明】
【図１】本発明による生理用ナプキンの形態をとる吸収性物品である。
【図２】図１で示された生理用ナプキンの２‐２線に沿う横断面図である。
【図３】フラップの１つの中央部分から図１の３‐３線に沿う横断面図である。
【図４】図１で示された吸収性物品の上面図であって、スキンケア組成物が適用される領域を示している。
【図５】スキンケア組成物の一例の剪断応力対粘度のグラフである。
【図１】
0004698844.tif 000023
【図２】
0004698844.tif 000024
【図３】
0004698844.tif 000025
【図４】
0004698844.tif 000026
【図５】
0004698844.tif 000027